(57)【要約】【課題】ハンドオーバ時のユーザデータ転送における通信遅延および回線ひっ迫を低減し、また、基地局のコストを低減させることができる通信システムを得ること。【解決手段】ＵＥが、Ｓｏｕｒｃｅ  ＨｅＮＢからＴａｒｇｅｔ  ＨｅＮＢへハンドオーバする場合に、Ｔａｒｇｅｔ  ＨｅＮＢに接続するＴａｒｇｅｔ  Ｓ−ＧＷは、Ｓｏｕｒｃｅ  ＨｅＮＢに接続するＳｏｕｒｃｅ  Ｓ−ＧＷへ、自身を前記ユーザデータの転送先とするための転送情報を送信し、Ｓｏｕｒｃｅ  Ｓ−ＧＷは、ＵＥ宛のハンドオーバ処理の開始後に受信したＵＥ宛のユーザデータを前記ハンドオーバ元Ｓ−ＧＷへ転送し、Ｓｏｕｒｃｅ  Ｓ−ＧＷは、ＰＤＮ−ＧＷから受信したＵＥ宛のユーザデータと、Ｔａｒｇｅｔ  ＨｅＮＢから受信したＵＥ宛のユーザデータと、を転送情報に基づいてＴａｒｇｅｔ  Ｓ−ＧＷへ転送する。【選択図】図２
2011077683.tif 000002
【特許請求の範囲】
【請求項１】
ユーザ端末と、前記ユーザ端末と無線接続する基地局と、前記基地局と接続し前記ユーザ端末宛のユーザデータを中継するゲートウェイ装置であるＳ−ＧＷと、コアネットワーク側から受信したユーザデータの転送先のＳ−ＧＷを選択し、選択したＳ−ＧＷへ受信したユーザデータを転送するゲートウェイ装置であるＰＤＮ−ＧＷと、を備え、前記ユーザ端末の無線接続先の前記基地局を変更する際に所定のハンドオーバ処理を実施する通信システムであって、
前記ユーザ端末が、ハンドオーバ元の前記基地局であるハンドオーバ元基地局から、ハンドオーバ先の前記基地局であるハンドオーバ先基地局へハンドオーバする場合に、
前記ハンドオーバ先基地局に接続する前記Ｓ−ＧＷであるハンドオーバ先Ｓ−ＧＷは、前記ユーザ端末の前記ハンドオーバ先基地局への前記ハンドオーバ処理が開始されたことを検出すると、前記ユーザ端末のハンドオーバ元の前記基地局であるハンドオーバ元基地局に接続する前記Ｓ−ＧＷであるハンドオーバ元Ｓ−ＧＷへ、自身を前記ユーザデータの転送先とするための情報である転送情報を送信し、
前記ハンドオーバ元基地局は、前記ユーザ端末宛の前記ハンドオーバ先基地局への前記ハンドオーバ処理の開始後に受信した前記ユーザ端末宛のユーザデータを保持し、保持しているユーザデータを前記ハンドオーバ元Ｓ−ＧＷへ転送し、
前記ハンドオーバ元Ｓ−ＧＷは、前記ＰＤＮ−ＧＷから受信した前記ユーザ端末宛のユーザデータと、前記ハンドオーバ元基地局から受信した前記ユーザ端末宛のユーザデータと、を前記転送情報に基づいて前記ハンドオーバ先Ｓ−ＧＷへ転送する、
ことを特徴とする通信システム。
【請求項２】
前記ハンドオーバ元Ｓ−ＧＷは、前記ＰＤＮ−ＧＷから受信した前記ユーザ端末宛のユーザデータと、前記ハンドオーバ元基地局から受信した前記ユーザ端末宛のユーザデータと、に対し送信された順序への並び替え処理を実施し、並び替え処理後のユーザデータを前記ハンドオーバ先Ｓ−ＧＷへ送信する、
ことを特徴とする請求項１に記載の通信システム。
【請求項３】
前記ハンドオーバ先Ｓ−ＧＷは、前記ＰＤＮ−ＧＷから受信した前記ユーザ端末宛のユーザデータと、前記ハンドオーバ元基地局から受信した前記ユーザ端末宛のユーザデータと、に対し送信された順序への並び替え処理を実施し、並び替え処理後のユーザデータを前記ハンドオーバ先基地局へ転送する、
ことを特徴とする請求項１または２に記載の通信システム。
【請求項４】
前記ハンドオーバ先Ｓ−ＧＷは、前記並び替え処理後のユーザデータを保持し、前記ユーザ端末のハンドオーバ処理が完了したことを検出した後に、保持しているユーザデータを前記ハンドオーバ先基地局へ転送する、
ことを特徴とする請求項３に記載の通信システム。
【請求項５】
前記ハンドオーバ先基地局に接続し、前記ユーザ端末の位置管理を実施するハンドオーバ先位置管理装置、
をさらに備え、
前記ハンドオーバ先位置管理装置が、前記ハンドオーバ先Ｓ−ＧＷへ、前記ユーザ端末のハンドオーバ完了を通知し、
前記ハンドオーバ先Ｓ−ＧＷは、前記ハンドオーバ先位置管理装置からの通知に基づいて前記ユーザ端末のハンドオーバ処理が完了したことを検出する、
ことを特徴とする請求項４に記載の通信システム。
【請求項６】
前記ハンドオーバ先Ｓ−ＧＷは、前記並び替え処理の実施と非実施を選択可能とする、
ことを特徴とする請求項３または４に記載の通信システム。
【請求項７】
前記ハンドオーバ先基地局は、前記ハンドオーバ先Ｓ−ＧＷから転送されたユーザデータに対する送信順序の並び替え処理の実施と非実施を選択可能とする、
ことを特徴とする請求項６に記載の通信システム。
【請求項８】
前記ハンドオーバ先基地局に接続し、前記ユーザ端末の位置管理を実施するハンドオーバ先位置管理装置、
をさらに備え、
前記ハンドオーバ先位置管理装置が、前記ハンドオーバ先Ｓ−ＧＷにおける前記並び替え処理の実施または非実施を前記ハンドオーバ先Ｓ−ＧＷへ指示し、
前記ハンドオーバ先Ｓ−ＧＷは、前記ハンドオーバ先位置管理装置の指示に基づいて前記並び替え処理の実施と非実施を選択する、
ことを特徴とする請求項６に記載の通信システム。
【請求項９】
前記ハンドオーバ先基地局に接続し、前記ユーザ端末の位置管理を実施するハンドオーバ先位置管理装置、
をさらに備え、
前記ハンドオーバ先位置管理装置が、前記ハンドオーバ先基地局に対して前記ハンドオーバ先基地局における前記並び替え処理の実施または非実施を前記ハンドオーバ先基地局へ指示し、また、前記ハンドオーバ先Ｓ−ＧＷにおける前記並び替え処理の実施または非実施を前記ハンドオーバ先Ｓ−ＧＷへ指示し、
前記ハンドオーバ先基地局は、前記ハンドオーバ先位置管理装置の指示に基づいて自身の前記並び替え処理の実施と非実施を選択する、
前記ハンドオーバ先Ｓ−ＧＷは、前記ハンドオーバ先位置管理装置の指示に基づいて自身の前記並び替え処理の実施と非実施を選択する、
ことを特徴とする請求項７に記載の通信システム。
【請求項１０】
ユーザ端末と、前記ユーザ端末と無線接続する基地局と、前記基地局と接続し前記ユーザ端末宛のユーザデータを中継するゲートウェイ装置であるＳ−ＧＷと、コアネットワーク側から受信したユーザデータの転送先のＳ−ＧＷを選択し、選択したＳ−ＧＷへ受信したユーザデータを転送するゲートウェイ装置であるＰＤＮ−ＧＷと、前記基地局と前記Ｓ−ＧＷ間の通信を中継するゲートウェイであるＨｅＮＢ−ＧＷと、を備え、前記ユーザ端末の無線接続先の前記基地局を変更する際に所定のハンドオーバ処理を実施する通信システムであって、
前記ユーザ端末が、ハンドオーバ元の前記基地局であるハンドオーバ元基地局から、ハンドオーバ先の前記基地局であるハンドオーバ先基地局へハンドオーバする場合に、
前記ハンドオーバ先基地局に接続する前記Ｓ−ＧＷであるハンドオーバ先Ｓ−ＧＷは、前記ユーザ端末の前記ハンドオーバ先基地局への前記ハンドオーバ処理が開始されたことを検出すると、前記ユーザ端末のハンドオーバ元の前記基地局であるハンドオーバ元基地局に接続する前記Ｓ−ＧＷであるハンドオーバ元Ｓ−ＧＷへ、自身を前記ユーザデータの転送先とするための情報である転送情報を送信し、
前記ハンドオーバ元基地局は、前記ユーザ端末宛の前記ハンドオーバ先基地局への前記ハンドオーバ処理の開始後に受信した前記ユーザ端末宛のユーザデータを保持し、保持しているユーザデータを前記ハンドオーバ元ＨｅＮＢ−ＧＷへ転送し、
前記ハンドオーバ元ＨｅＮＢ−ＧＷは、前記ＰＤＮ−ＧＷから受信した前記ユーザ端末宛のユーザデータと、前記ハンドオーバ元基地局から受信した前記ユーザ端末宛のユーザデータと、を前記ハンドオーバ元Ｓ−ＧＷへ転送し、
前記ハンドオーバ元Ｓ−ＧＷは、前記転送情報に基づいて前記ハンドオーバ元ＨｅＮＢ−ＧＷから転送されたユーザデータを前記ハンドオーバ先Ｓ−ＧＷへ転送する、
ことを特徴とする通信システム。
【請求項１１】
前記ハンドオーバ元ＨｅＮＢ−ＧＷは、前記ＰＤＮ−ＧＷから受信した前記ユーザ端末宛のユーザデータと、前記ハンドオーバ元基地局から受信した前記ユーザ端末宛のユーザデータと、に対し送信された順序への並び替え処理を実施し、並び替え処理後のユーザデータを前記ハンドオーバ元Ｓ−ＧＷへ転送する、
ことを特徴とする請求項１０に記載の通信システム。
【請求項１２】
前記ハンドオーバ先Ｓ−ＧＷは、前記ハンドオーバ元Ｓ−ＧＷから転送されたユーザデータを、前記ハンドオーバ先基地局に接続するハンドオーバ先ＨｅＮＢ−ＧＷへ転送し、
前記ハンドオーバ先ＨｅＮＢ−ＧＷは、前記ハンドオーバ元Ｓ−ＧＷ経由で前記ハンドオーバ先Ｓ−ＧＷから転送されたユーザデータと、前記ＰＤＮ−ＧＷから前記ハンドオーバ元Ｓ−ＧＷ経由で受信した前記ユーザ端末宛のユーザデータと、に対し送信された順序への並び替え処理を実施し、並び替え処理後のユーザデータを前記ハンドオーバ先基地局へ送信する、
ことを特徴とする請求項１０または１１に記載の通信システム。
【請求項１３】
前記ハンドオーバ先Ｓ−ＧＷは、前記並び替え処理後のユーザデータを保持し、前記ユーザ端末のハンドオーバ処理が完了したことを検出した後に、保持しているユーザデータを前記ハンドオーバ先基地局へ転送する、
ことを特徴とする請求項１２に記載の通信システム。
【請求項１４】
前記ハンドオーバ先基地局に接続し、前記ユーザ端末の位置管理を実施するハンドオーバ先位置管理装置、
をさらに備え、
前記ハンドオーバ先位置管理装置が、前記ハンドオーバ先Ｓ−ＧＷへ、前記ユーザ端末のハンドオーバ完了を通知し、
前記ハンドオーバ先Ｓ−ＧＷは、前記ハンドオーバ先位置管理装置からの通知に基づいて前記ユーザ端末のハンドオーバ処理が完了したことを検出する、
ことを特徴とする請求項１３に記載の通信システム。
【請求項１５】
前記ハンドオーバ先ＨｅＮＢ−ＧＷは、前記並び替え処理の実施と非実施を選択可能とする、
ことを特徴とする請求項１２または１３に記載の通信システム。
【請求項１６】
前記ハンドオーバ先基地局は、前記ハンドオーバ先ＨｅＮＢ−ＧＷから転送されたユーザデータに対する送信順序の並び替え処理の実施と非実施を選択可能とする、
ことを特徴とする請求項１５に記載の通信システム。
【請求項１７】
前記ハンドオーバ先基地局に接続し、前記ユーザ端末の位置管理を実施するハンドオーバ先位置管理装置、
をさらに備え、
前記ハンドオーバ先位置管理装置が、前記ハンドオーバ先ＨｅＮＢ−ＧＷにおける前記並び替え処理の実施または非実施を前記ハンドオーバ先ＨｅＮＢ−ＧＷへ指示し、
前記ハンドオーバ先ＨｅＮＢ−ＧＷは、前記ハンドオーバ先位置管理装置の指示に基づいて前記並び替え処理の実施と非実施を選択する、
ことを特徴とする請求項１５に記載の通信システム。
【請求項１８】
前記ハンドオーバ先基地局に接続し、前記ユーザ端末の位置管理を実施するハンドオーバ先位置管理装置、
をさらに備え、
前記ハンドオーバ先位置管理装置が、前記ハンドオーバ先基地局に対して前記ハンドオーバ先基地局における前記並び替え処理の実施または非実施を前記ハンドオーバ先基地局へ指示し、また、前記ハンドオーバ先ＨｅＮＢ−ＧＷにおける前記並び替え処理の実施または非実施を前記ハンドオーバ先ＨｅＮＢ−ＧＷへ指示し、
前記ハンドオーバ先基地局は、前記ハンドオーバ先位置管理装置の指示に基づいて自身の前記並び替え処理の実施と非実施を選択する、
前記ハンドオーバ先ＨｅＮＢ−ＧＷは、前記ハンドオーバ先位置管理装置の指示に基づいて自身の前記並び替え処理の実施と非実施を選択する、
ことを特徴とする請求項１６に記載の通信システム。
【請求項１９】
前記ハンドオーバ先基地局を含むハンドオーバ先アクセスネットワークを３ＧＰＰに対応するシステムとする、
ことを特徴とする請求項１〜１８のいずれか１つに記載の通信システム。
【請求項２０】
前記ハンドオーバ先アクセスネットワークをＥ−ＵＴＲＡＮ、ＵＴＲＡＮ、ＧＥＲＡＮのうちのいずれか１つに対応するシステムとする、
ことを特徴とする請求項１９に記載の通信システム。
【請求項２１】
前記ハンドオーバ元基地局を含むハンドオーバ元アクセスネットワークを３ＧＰＰに対応するシステムとする、
ことを特徴とする請求項１〜２０のいずれか１つに記載の通信システム。
【請求項２２】
前記ハンドオーバ元アクセスネットワークをＥ−ＵＴＲＡＮ、ＵＴＲＡＮ、ＧＥＲＡＮのうちのいずれか１つに対応するシステムとする、
ことを特徴とする請求項２１に記載の通信システム。
【請求項２３】
ユーザ端末と、前記ユーザ端末と無線接続する基地局と、前記基地局と接続し前記ユーザ端末宛のユーザデータを中継するゲートウェイ装置であるＳ−ＧＷと、コアネットワーク側から受信したユーザデータの転送先のＳ−ＧＷを選択し、選択したＳ−ＧＷへ受信したユーザデータを転送するゲートウェイ装置であるＰＤＮ−ＧＷと、を備え、前記ユーザ端末の無線接続先の前記基地局を変更する際に所定のハンドオーバ処理を実施する通信システムにおいて、前記ユーザ端末が、ハンドオーバ元の前記基地局であるハンドオーバ元基地局から、ハンドオーバ先の前記基地局であるハンドオーバ先基地局へハンドオーバする場合のデータ転送方法であって、
前記ハンドオーバ先基地局に接続する前記Ｓ−ＧＷであるハンドオーバ先Ｓ−ＧＷが、前記ユーザ端末の前記ハンドオーバ先基地局への前記ハンドオーバ処理が開始されたことを検出すると、前記ユーザ端末のハンドオーバ元の前記基地局であるハンドオーバ元基地局に接続する前記Ｓ−ＧＷであるハンドオーバ元Ｓ−ＧＷへ、自身を前記ユーザデータの転送先とするための情報である転送情報を送信する転送情報送信ステップと、
前記ハンドオーバ元基地局が、前記ユーザ端末宛の前記ハンドオーバ先基地局への前記ハンドオーバ処理の開始後に受信した前記ユーザ端末宛のユーザデータを保持し、保持しているユーザデータを前記ハンドオーバ元Ｓ−ＧＷへ転送する旧データ転送ステップと、
前記ハンドオーバ元Ｓ−ＧＷは、前記ＰＤＮ−ＧＷから受信した前記ユーザ端末宛のユーザデータと、前記ハンドオーバ元基地局から受信した前記ユーザ端末宛のユーザデータと、を前記転送情報に基づいて前記ハンドオーバ先Ｓ−ＧＷへ転送するハンドオーバ先転送ステップと、
ことを含むことを特徴とするデータ転送方法。
【請求項２４】
ユーザ端末と、前記ユーザ端末と無線接続する基地局と、前記基地局と接続し前記ユーザ端末宛のユーザデータを中継するゲートウェイ装置であるＳ−ＧＷと、コアネットワーク側から受信したユーザデータの転送先のＳ−ＧＷを選択し、選択したＳ−ＧＷへ受信したユーザデータを転送するゲートウェイ装置であるＰＤＮ−ＧＷと、前記基地局と前記Ｓ−ＧＷ間の通信を中継するゲートウェイであるＨｅＮＢ−ＧＷと、を備え、前記ユーザ端末の無線接続先の前記基地局を変更する際に所定のハンドオーバ処理を実施する通信システムにおいて、前記ユーザ端末が、ハンドオーバ元の前記基地局であるハンドオーバ元基地局から、ハンドオーバ先の前記基地局であるハンドオーバ先基地局へハンドオーバする場合のデータ転送方法であって、
前記ハンドオーバ先基地局に接続する前記Ｓ−ＧＷであるハンドオーバ先Ｓ−ＧＷが、前記ユーザ端末の前記ハンドオーバ先基地局への前記ハンドオーバ処理が開始されたことを検出すると、前記ユーザ端末のハンドオーバ元の前記基地局であるハンドオーバ元基地局に接続する前記Ｓ−ＧＷであるハンドオーバ元Ｓ−ＧＷへ、自身を前記ユーザデータの転送先とするための情報である転送情報を送信する転送情報送信ステップと、
前記ハンドオーバ元基地局が、前記ユーザ端末宛の前記ハンドオーバ先基地局への前記ハンドオーバ処理の開始後に受信した前記ユーザ端末宛のユーザデータを保持し、保持しているユーザデータを前記ハンドオーバ元ＨｅＮＢ−ＧＷへ転送する旧データ転送ステップと、
前記ハンドオーバ元ＨｅＮＢ−ＧＷが、前記ＰＤＮ−ＧＷから受信した前記ユーザ端末宛のユーザデータと、前記ハンドオーバ元基地局から受信した前記ユーザ端末宛のユーザデータと、を前記ハンドオーバ元Ｓ−ＧＷへ転送するデータ転送ステップと、
前記ハンドオーバ元Ｓ−ＧＷは、前記転送情報に基づいて前記ハンドオーバ元ＨｅＮＢ−ＧＷから転送されたユーザデータを前記ハンドオーバ先Ｓ−ＧＷへ転送するハンドオーバ先転送ステップと、
を含むことを特徴とするデータ転送方法。
【発明の詳細な説明】
【技術分野】
【０００１】
本発明は、ユーザ端末が他セルへハンドオーバする際に、通信中のユーザデータをハンドオーバ元の基地局からハンドオーバ先の基地局へ転送する通信システムおよびデータ転送方法に関する。
【背景技術】
【０００２】
ＬＴＥ（Ｌｏｎｇ  Ｔｅｒｍ  Ｅｖｏｌｕｔｉｏｎ）では、家庭内等での特定サービスの提供や屋内不感地における通信品質の改善等を目的として、屋内への設置を想定した無線基地局であるＨｅＮＢ（Ｈｏｍｅ  ｅＮｏｄｅＢ）が検討されている。
【０００３】
ＬＴＥでは、ユーザ端末ＵＥ（Ｕｓｅｒ  Ｅｑｕｉｐｍｅｎｔ）が通信中のセルから他のセルへハンドオーバする際に、ユーザデータの損失を防ぐために、通信中のユーザデータをハンドオーバ元の基地局からハンドオーバ先の基地局へ転送する場合がある。たとえば、ハンドオーバ元基地局がＨｅＮＢの場合、ユーザデータはＰＤＮ−ＧＷ（Ｐａｃｋｅｔ  Ｄａｔａ  Ｎｅｔｗｏｒｋ  Ｇａｔｅｗａｙ）からハンドオーバ元のＳ−ＧＷ（Ｓｅｒｖｉｎｇ  Ｇａｔｅｗａｙ）経由でＨｅＮＢへ送信される。その後、ユーザデータはＨｅＮＢからハンドオーバ元のＳ−ＧＷを経由してハンドオーバ先の基地局まで転送される。このようにして、ハンドオーバ実施中のユーザデータをハンドオーバ完了後にＵＥへ送信するロスレスハンドオーバを実現する（下記、非特許文献１参照）。
【０００４】
また、ハンドオーバ先の基地局には、ハンドオーバによるパス切り換え前に上記のように転送された転送データと、パス切り換え後に新たなパスで送信された新規データが到着する。これらのデータ（転送データおよび新規データ）の順序は、送信された順序と順序が入れ替わって到着する可能性があるため、ハンドオーバ先の基地局は、これらのデータに対してリオーダリング（送信された順序に並び替える処理）を行い、リオーダリング後のデータをＵＥへ送信する（下記、非特許文献２参照）。なお、ＬＴＥでは、オプションとして、Ｓ−ＧＷとＨｅＮＢの間にＨｅＮＢ−ＧＷ（Ｈｏｍｅ  ｅＮｏｄｅＢ  Ｇａｔｅｗａｙ）を設置することも可能であるが、この場合も、ハンドオーバの際のデータ転送・リオーダリング処理は上記の例と同様に行なわれる。
【先行技術文献】
【非特許文献】
【０００５】
【非特許文献１】３ＧＰＰ，“３ＧＰＰ  ＴＳ２３．４０１  Ｖ９．１．０”，２００９年６月
【非特許文献２】３ＧＰＰ，“３ＧＰＰ  ＴＳ３６．３００  Ｖ９．０．０”，２００９年６月
【発明の概要】
【発明が解決しようとする課題】
【０００６】
しかしながら、上記従来のハンドオーバ時のユーザデータの転送方法では、ハンドオーバ元のＳ−ＧＷとＨｅＮＢ間ではユーザデータを往復転送する。そのため、通信遅延が増大する、という問題があった。さらに、Ｓ−ＧＷとＨｅＮＢ間はユーザ加入のブロードバンド回線を使用するため、ユーザブロードバンド回線をひっ迫させる、という問題点があった。
【０００７】
また、上記従来のハンドオーバ時のユーザデータの転送方法では、ハンドオーバ先基地局ではリオーダリングを行なうためのバッファが必要である。そのため、遅延が大きい環境では、必要なバッファ量が増大しコストが増加する、という問題があった。特にハンドオーバ元基地局がＨｅＮＢの場合は、ユーザ加入ブロードバンド回線を往復して大きな遅延を伴ったデータが転送されるため、転送に伴う遅延が大きくなるほど必要なバッファ量は増加する。ＨｅＮＢでは小型・低価格化が要求されるため、バッファ量を削減することが必要である。
【０００８】
本発明は、上記に鑑みてなされたものであって、ハンドオーバ時のユーザデータ転送における通信遅延および回線ひっ迫を低減し、また、基地局のコストを低減させることができる通信システムおよびデータ転送方法を得ることを目的とする。
【課題を解決するための手段】
【０００９】
上述した課題を解決し、目的を達成するために、本発明は、ユーザ端末と、前記ユーザ端末と無線接続する基地局と、前記基地局と接続し前記ユーザ端末宛のユーザデータを中継するゲートウェイ装置であるＳ−ＧＷと、コアネットワーク側から受信したユーザデータの転送先のＳ−ＧＷを選択し、選択したＳ−ＧＷへ受信したユーザデータを転送するゲートウェイ装置であるＰＤＮ−ＧＷと、を備え、前記ユーザ端末の無線接続先の前記基地局を変更する際に所定のハンドオーバ処理を実施する通信システムであって、前記ユーザ端末が、ハンドオーバ元の前記基地局であるハンドオーバ元基地局から、ハンドオーバ先の前記基地局であるハンドオーバ先基地局へハンドオーバする場合に、前記ハンドオーバ先基地局に接続する前記Ｓ−ＧＷであるハンドオーバ先Ｓ−ＧＷは、前記ユーザ端末の前記ハンドオーバ先基地局への前記ハンドオーバ処理が開始されたことを検出すると、前記ユーザ端末のハンドオーバ元の前記基地局であるハンドオーバ元基地局に接続する前記Ｓ−ＧＷであるハンドオーバ元Ｓ−ＧＷへ、自身を前記ユーザデータの転送先とするための情報である転送情報を送信し、前記ハンドオーバ元基地局は、前記ユーザ端末宛の前記ハンドオーバ先基地局への前記ハンドオーバ処理の開始後に受信した前記ユーザ端末宛のユーザデータを保持し、保持しているユーザデータを前記ハンドオーバ元Ｓ−ＧＷへ転送し、前記ハンドオーバ元Ｓ−ＧＷは、前記ＰＤＮ−ＧＷから受信した前記ユーザ端末宛のユーザデータと、前記ハンドオーバ元基地局から受信した前記ユーザ端末宛のユーザデータと、を前記転送情報に基づいて前記ハンドオーバ先Ｓ−ＧＷへ転送する、ことを特徴とする。
【発明の効果】
【００１０】
本発明によれば、ＵＥのハンドオーバ処理中に、ハンドオーバ元のＳ−ＧＷがＰＤＮ−ＧＷから受信したＵＥ宛のデータをハンドオーバ先のＳ−ＧＷを経由してハンドオーバ先のＨｅＮＢへ転送するようにしたので、ハンドオーバ時のユーザデータ転送における通信遅延および回線ひっ迫を低減し、また、基地局のコストを低減させることができる、という効果を奏する。
【図面の簡単な説明】
【００１１】
【図１】図１は、実施の形態１の通信システムの構成例を示す図である。
【図２】図２は、実施の形態１のハンドオーバ時のユーザデータ転送手順の一例を示すチャート図である。
【図３】図３は、実施の形態２の通信システムの構成例を示す図である。
【図４】図４は、実施の形態２のハンドオーバ時のユーザデータ転送手順の一例を示すチャート図である。
【図５】図５は、実施の形態３の通信システムの構成例を示す図である。
【図６】図６は、実施の形態３のハンドオーバ時のユーザデータ転送手順の一例を示すチャート図である。
【図７】図７は、実施の形態６の通信システムの構成例を示す図である。
【図８】図８は、実施の形態６のハンドオーバ時のユーザデータ転送手順の一例を示すチャート図である。
【発明を実施するための形態】
【００１２】
以下に、本発明にかかる通信システムおよびデータ転送方法の実施の形態を図面に基づいて詳細に説明する。なお、この実施の形態によりこの発明が限定されるものではない。
【００１３】
実施の形態１．
図１は、本発明にかかる通信システムの実施の形態１の構成例を示す図である。図１に示すように、本実施の形態の通信システムは、ＰＤＮ−ＧＷ（Ｐａｃｋｅｔ  Ｄａｔａ  Ｎｅｔｗｏｒｋ  Ｇａｔｅｗａｙ）１０，Ｓｏｕｒｃｅ  Ｓ−ＧＷ（Ｓｅｒｖｉｎｇ  Ｇａｔｅｗａｙ）２１，Ｓｏｕｒｃｅ  ＭＭＥ（Ｍｏｂｉｌｅ  Ｍａｎａｇｅｍｅｎｔ  Ｅｎｔｉｔｙ）２２，Ｓｏｕｒｃｅ  ＨｅＮＢ（Ｈｏｍｅ  ｅＮｏｄｅＢ）２３，Ｔａｒｇｅｔ  Ｓ−ＧＷ３１，Ｔａｒｇｅｔ  ＭＭＥ３２，Ｔａｒｇｅｔ  ＨｅＮＢ３３，ＵＥ（Ｕｓｅｒ  Ｅｑｕｉｐｍｅｎｔ：ユーザ端末）４０で構成される。
【００１４】
本実施の形態では、ＵＥ４０が、Ｓｏｕｒｃｅ側の無線アクセスネットワークであるハンドオーバ元無線アクセスネットワーク（Ｓｏｕｒｃｅ  ＭＭＥ２２，Ｓｏｕｒｃｅ  ＨｅＮＢ２３を含むネットワーク）から、Ｔａｒｇｅｔ側の無線アクセスネットワークであるハンドオーバ先無線アクセスネットワーク（Ｔａｒｇｅｔ  ＭＭＥ３２，Ｔａｒｇｅｔ  ＨｅＮＢ３３を含むネットワーク）へハンドオーバする例を説明する。また、本実施の形態では、ハンドオーバ元無線アクセスネットワーク、ハンドオーバ先無線アクセスネットワークがともにＬＴＥに対応するネットワークであるとする。
【００１５】
ＵＥ４０は、Ｓｏｕｒｃｅ  ＨｅＮＢ２３のセル内から、Ｔａｒｇｅｔ  ＨｅＮＢ３３のセル内へと移動し、Ｓｏｕｒｃｅ  ＨｅＮＢ２３からＴａｒｇｅｔ  ＨｅＮＢ３３へハンドオーバする。図１に示したＳｏｕｒｃｅ  Ｓ−ＧＷ２１，Ｓｏｕｒｃｅ  ＭＭＥ２２，Ｓｏｕｒｃｅ  ＨｅＮＢ２３は、ＵＥ４０のハンドオーバ元の通信経路上にあり、Ｔａｒｇｅｔ  Ｓ−ＧＷ３１，Ｔａｒｇｅｔ  ＭＭＥ３２，Ｔａｒｇｅｔ  ＨｅＮＢ３３はハンドオーバ先の通信経路上にある。
【００１６】
ＰＤＮ−ＧＷ１０は、コアネットワーク（上位ネットワーク）と接続し、コアネットワークから送信されたユーザデータの転送先を切り換えるゲートウェイである。Ｓｏｕｒｃｅ  Ｓ−ＧＷ２１は、ＰＤＮ−ＧＷ１０から転送されたユーザデータを中継し、ユーザデータの転送先を決めるＵＥ４０のハンドオーバ元のゲートウェイである。Ｓｏｕｒｃｅ  ＭＭＥ２２は、ＵＥ４０を含めユーザ端末の移動制御を行うハンドオーバ元の制御装置である。Ｓｏｕｒｃｅ  ＨｅＮＢ２３は、ハンドオーバ前にＵＥ４０を収容するハンドオーバ元の基地局である。
【００１７】
また、Ｔａｒｇｅｔ  Ｓ−ＧＷ３１は、ＰＤＮ−ＧＷ１０から転送されたユーザデータを中継し、ユーザデータの転送先を決めるハンドオーバ先のゲートウェイである。Ｔａｒｇｅｔ  ＭＭＥ３２は、ユーザ端末の移動制御を行うハンドオーバ先の制御装置である。Ｔａｒｇｅｔ  ＨｅＮＢ３３は、ハンドオーバ後にＵＥ４０を収容するハンドオーバ先の基地局である。
【００１８】
つぎに、本実施の形態の動作を説明する。図２は、本実施の形態のハンドオーバ時のユーザデータ転送手順の一例を示すチャート図である。ここでは、以下のハンドオーバ処理に関する各メッセージは、基本的には上記非特許文献１に記載されているメッセージを用いることとする。なお、以下の手順は一例であり、同様の内容を送信する方法であれば、上記非特許文献１に記載のメッセージを用いなくてもよい。
【００１９】
はじめに、ＵＥ４０はＳｏｕｒｃｅ  ＨｅＮＢ２３に接続しており、ハンドオーバ前の下りユーザデータはＰＤＮ−ＧＷ１０からＳｏｕｒｃｅ  Ｓ−ＧＷ２１，Ｓｏｕｒｃｅ  ＨｅＮＢ２３を経由し、ＵＥ４０へ送信される。また、ハンドオーバ前の上りユーザデータはＵＥ４０からＳｏｕｒｃｅ  ＨｅＮＢ２３，Ｓｏｕｒｃｅ  Ｓ−ＧＷ２１を経由して、ＰＤＮ−ＧＷ１０へ送信される。以下、ＵＥ４０がＳｏｕｒｃｅ  ＨｅＮＢ２３からＴａｒｇｅｔ  ＨｅＮＢ３３へハンドオーバする際の動作を順に説明する。
【００２０】
Ｓｏｕｒｃｅ  ＨｅＮＢ２３は、ＵＥ４０のＴａｒｇｅｔ  ＨｅＮＢ３３へのハンドオーバ実行を決定すると、ハンドオーバ処理の実行を要求する“Ｈａｎｄｏｖｅｒ  Ｒｅｑｕｉｒｅｄ”メッセージをＳｏｕｒｃｅ  ＭＭＥ２２へ送信する（ステップＳ１）。この際、“Ｈａｎｄｏｖｅｒ  Ｒｅｑｕｉｒｅｄ”メッセージには、ハンドオーバ先（Ｔａｒｇｅｔ  ＨｅＮＢ３３）に対応するセル（ターゲットセル）のＩＤ（ＩＤｅｎｔｉｆｉｅｒ）を含めることとする。なお、ハンドオーバ先およびハンドオーバ実行の決定方法はどのような方法を用いてもよく、たとえば、ＵＥ４０が測定した各基地局の受信品質に基づいて決定する方法などどのような方法を用いてもよい。
【００２１】
Ｓｏｕｒｃｅ  ＭＭＥ２２は、受信した“Ｈａｎｄｏｖｅｒ  Ｒｅｑｕｉｒｅｄ”メッセージのメッセージに含まれるターゲットセルＩＤに基づいてハンドオーバ先基地局（Ｔａｒｇｅｔ  ＨｅＮＢ３３）を収容するＴａｒｇｅｔ  ＭＭＥ３２を選択し、ＰＤＮ−ＧＷ１０のＵＬ（Ｕｐ  Ｌｉｎｋ）用ＴＥＩＤ（Ｔｕｎｎｅｌ  Ｅｎｄ  Ｐｏｉｎｔ  Ｉｄｅｎｔｉｆｉｅｒ）情報を含むハンドオーバに必要な情報を送信するための“Ｆｏｒｗａｒｄ  Ｒｅｌｏｃａｔｉｏｎ  Ｒｅｑｕｅｓｔ”メッセージをＴａｒｇｅｔ  ＭＭＥ３２へ送信する（ステップＳ２）。
【００２２】
Ｔａｒｇｅｔ  ＭＭＥ３２は、“Ｆｏｒｗａｒｄ  Ｒｅｌｏｃａｔｉｏｎ  Ｒｅｑｕｅｓｔ”メッセージを受信すると、ハンドオーバ先基地局であるＴａｒｇｅｔ  ＨｅＮＢ３３へデータを送信するＴａｒｇｅｔ  Ｓ−ＧＷ３１を選択する。そして、Ｔａｒｇｅｔ  ＭＭＥ３２は、ＰＤＮ−ＧＷ１０のＵＬ用ＴＥＩＤ情報を含む、新たなデータパスの生成を要求する“Ｃｒｅａｔｅ  Ｓｅｓｓｉｏｎ  Ｒｅｑｕｅｓｔ”メッセージをＴａｒｇｅｔ  Ｓ−ＧＷ３１へ送信する（ステップＳ３）。これにより、ハンドオーバ完了後のＴａｒｇｅｔ  Ｓ−ＧＷ３１からＰＤＮ−ＧＷ１０方向への上りデータパスが確立されることになる。
【００２３】
Ｔａｒｇｅｔ  Ｓ−ＧＷ３１は、“Ｃｒｅａｔｅ  Ｓｅｓｓｉｏｎ  Ｒｅｑｕｅｓｔ”メッセージを受信すると、ハンドオーバ完了後のＴａｒｇｅｔ  ＨｅＮＢ３３の上りデータ送信先となるＴａｒｇｅｔ  Ｓ−ＧＷ３１のＵＬ用ＴＥＩＤを“Ｃｒｅａｔｅ  Ｓｅｓｓｉｏｎ  Ｒｅｓｐｏｎｓｅ”メッセージに格納してＴａｒｇｅｔ  ＭＭＥ３２へ返信する（ステップＳ４）。
【００２４】
Ｔａｒｇｅｔ  ＭＭＥ３２は、受信した“Ｃｒｅａｔｅ  Ｓｅｓｓｉｏｎ  Ｒｅｓｐｏｎｓｅ”メッセージからＴａｒｇｅｔ  Ｓ−ＧＷ３１のＵＬ用ＴＥＩＤ情報を抽出し、Ｔａｒｇｅｔ  Ｓ−ＧＷ３１のＵＬ用ＴＥＩＤ情報を含む、ハンドオーバ処理の実施を要求する“Ｈａｎｄｏｖｅｒ  Ｒｅｑｕｅｓｔ”メッセージをＴａｒｇｅｔ  ＨｅＮＢ３３へ送信する（ステップＳ５）。これにより、ハンドオーバ完了後のＴａｒｇｅｔ  ＨｅＮＢ３３からＴａｒｇｅｔ  Ｓ−ＧＷ３１方向への上りデータパスが確立される。
【００２５】
Ｔａｒｇｅｔ  ＨｅＮＢ３３は、“Ｈａｎｄｏｖｅｒ  Ｒｅｑｕｅｓｔ”メッセージを受信すると、ＤＬ（Ｄｏｗｎ  Ｌｉｎｋ）用ＴＥＩＤとハンドオーバ処理中にＴａｒｇｅｔ  Ｓ−ＧＷ３１からＴａｒｇｅｔ  ＨｅＮＢ３３方向へのユーザデータ転送に用いるＦＷ（Ｆｏｒｗａｒｄ）用ＴＥＩＤ（ＦＷ用ＴＥＩＤとする）とを、それぞれを割り当て、これらＴＥＩＤ情報を含む“Ｈａｎｄｏｖｅｒ  Ｒｅｑｕｅｓｔ  Ａｃｋｎｏｗｌｅｄｇｅ”メッセージをＴａｒｇｅｔ  ＭＭＥ３２へ返信する（ステップＳ６）。
【００２６】
Ｔａｒｇｅｔ  ＭＭＥ３２は、受信した“Ｈａｎｄｏｖｅｒ  Ｒｅｑｕｅｓｔ  Ａｃｋｎｏｗｌｅｄｇｅ”メッセージからＦＷ用ＴＥＩＤ情報を抽出し、ＦＷ用ＴＥＩＤ情報を含む、ハンドオーバ処理中の転送用のパスの確立を要求する“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージをＴａｒｇｅｔ  Ｓ−ＧＷ３１へ送信する（ステップＳ７）。これにより、ハンドオーバ処理中のＴａｒｇｅｔ  Ｓ−ＧＷ３１からＴａｒｇｅｔ  ＨｅＮＢ３３方向へのデータ転送パスが確立される。
【００２７】
Ｔａｒｇｅｔ  Ｓ−ＧＷ３１はハンドオーバ処理中のＳｏｕｒｃｅ  Ｓ−ＧＷ２１からＴａｒｇｅｔ  Ｓ−ＧＷ３１方向へのデータ転送に用いるＦＷ用ＴＥＩＤを割り当て、割り当てたＦＷ用ＴＥＩＤ情報を含む“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージをＴａｒｇｅｔ  ＭＭＥ３２へ送信する（ステップＳ８）。
【００２８】
Ｔａｒｇｅｔ  ＭＭＥ３２は、受信した“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージから抽出したＦＷ用ＴＥＩＤ情報を含む“Ｆｏｒｗａｒｄ  Ｒｅｌｏｃａｔｉｏｎ  Ｒｅｓｐｏｎｓｅ”メッセージをＳｏｕｒｃｅ  ＭＭＥ２２へ送信する（ステップＳ９）。
【００２９】
Ｓｏｕｒｃｅ  ＭＭＥ２２は、受信した“Ｆｏｒｗａｒｄ  Ｒｅｌｏｃａｔｉｏｎ  Ｒｅｓｐｏｎｓｅ”メッセージからＦＷ用ＴＥＩＤ情報を抽出し、ＦＷ用ＴＥＩＤ情報を“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージに含めてＳｏｕｒｃｅ  Ｓ−ＧＷ２１へ送信する（ステップＳ１０）。これにより、ハンドオーバ実行中のＳｏｕｒｃｅ  Ｓ−ＧＷ２１からＴａｒｇｅｔ  Ｓ−ＧＷ３１方向へのデータ転送パスが確立される。すなわち、Ｔａｒｇｅｔ  Ｓ−ＧＷ３１は、ステップＳ７で送信された“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージにより、ＵＥ４０がハンドオーバ処理中であり、そのハンドオーバ処理中の転送経路の設定が必要であることを検出し、自身への転送用の情報であるＦＷ用ＴＥＩＤ情報をＴａｒｇｅｔ  ＭＭＥ３２，Ｓｏｕｒｃｅ  ＭＭＥ２２経由でＳｏｕｒｃｅ  Ｓ−ＧＷ２１に通知していることになる。
【００３０】
Ｓｏｕｒｃｅ  Ｓ−ＧＷ２１は、Ｓｏｕｒｃｅ  ＨｅＮＢ２３が転送データの宛先として使用するＦＷ用ＴＥＩＤを割り当て、ＦＷ用ＴＥＩＤを“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージに含めてＳｏｕｒｃｅ  ＭＭＥ２２へ返信する（ステップＳ１１）。そして、Ｓｏｕｒｃｅ  Ｓ−ＧＷ２１は、上記ステップＳ７およびステップＳ１０で確立されたＳｏｕｒｃｅ  Ｓ−ＧＷ２１〜Ｔａｒｇｅｔ  Ｓ−ＧＷ３１間、Ｔａｒｇｅｔ  Ｓ−ＧＷ３１〜Ｔａｒｇｅｔ  ＨｅＮＢ３３間のデータ転送パスを用い、ＰＤＮ−ＧＷ１０から受信したＵＥ４０宛ての下りデータをＴａｒｇｅｔ  ＨｅＮＢ３３へ転送する。
【００３１】
従来の技術では、Ｓｏｕｒｃｅ  Ｓ−ＧＷ２１は、ＵＥ４０のハンドオーバ処理中に、ＰＤＮ−ＧＷ１０から受信したＵＥ４０宛の下りデータを、Ｓｏｕｒｃｅ  ＨｅＮＢ２３に転送し、Ｓｏｕｒｃｅ  ＨｅＮＢ２３は、転送された下りデータをＳｏｕｒｃｅ  Ｓ−ＧＷ２１を経由してＴａｒｇｅｔ  ＨｅＮＢ３３へ転送する。したがって、この下りデータは、Ｓｏｕｒｃｅ  Ｓ−ＧＷ２１とＳｏｕｒｃｅ  ＨｅＮＢ２３の間を往復して転送されることになるが、本実施の形態では、Ｓｏｕｒｃｅ  Ｓ−ＧＷ２１がＴａｒｇｅｔ  Ｓ−ＧＷ３１を経由してＴａｒｇｅｔ  ＨｅＮＢ３３へ転送される。したがって、Ｓｏｕｒｃｅ  Ｓ−ＧＷ２１とＳｏｕｒｃｅ  ＨｅＮＢ２３間を経由することなく、Ｓｏｕｒｃｅ  Ｓ−ＧＷ２１がハンドオーバ処理中に受信したＵＥ４０宛のデータを転送する。
【００３２】
以降、Ｔａｒｇｅｔ  ＨｅＮＢ３３は、Ｓｏｕｒｃｅ  Ｓ−ＧＷ２１からＴａｒｇｅｔ  Ｓ−ＧＷ３１を経由して転送されたデータを内部に蓄積し、ＵＥ４０のハンドオーバが完了するまで送信せずに保持する。以下、ハンドオーバ処理中にＳｏｕｒｃｅ  Ｓ−ＧＷ２１がＰＤＮ−ＧＷ１０から受信しＴａｒｇｅｔ  Ｓ−ＧＷ３１を介してＴａｒｇｅｔ  ＨｅＮＢ３３へ転送したデータを中間データ（Ｉｎｔｅｒｍｅｄｉａｔｅ  ｄａｔａ）と呼ぶこととする。
【００３３】
Ｓｏｕｒｃｅ  ＭＭＥ２２は、ステップＳ１１で送信された“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージからＦＷ用ＴＥＩＤ情報を抽出し、ＦＷ用ＴＥＩＤ情報を、ＵＥ４０のＴａｒｇｅｔ  ＨｅＮＢ３３へのハンドオーバの実行を指示する“Ｈａｎｄｏｖｅｒ  Ｃｏｍｍａｎｄ”メッセージに含めてＳｏｕｒｃｅ  ＨｅＮＢ２３へ送信する（ステップＳ１２）。これにより、ハンドオーバ処理中のＳｏｕｒｃｅ  ＨｅＮＢ２３からＳｏｕｒｃｅ  Ｓ−ＧＷ２１方向へのデータ転送パスが確立される。
【００３４】
Ｓｏｕｒｃｅ  ＨｅＮＢ２３は、“Ｈａｎｄｏｖｅｒ  Ｃｏｍｍａｎｄ”メッセージを受信すると、“Ｈａｎｄｏｖｅｒ  Ｃｏｍｍａｎｄ”メッセージをＵＥ４０へ送信し、Ｔａｒｇｅｔ  ＨｅＮＢ３３へのハンドオーバをＵＥ４０に指示する（ステップＳ１３）。
【００３５】
Ｓｏｕｒｃｅ  ＨｅＮＢ２３は、ＵＥ４０との間で送受する無線データに付与するシーケンス番号情報を含む“ｅＮＢ  Ｓｔａｔｕｓ  Ｔｒａｎｓｆｅｒ”メッセージをＳｏｕｒｃｅ  ＭＭＥ２２へ送信する（ステップＳ１４）。“ｅＮＢ  Ｓｔａｔｕｓ  Ｔｒａｎｓｆｅｒ”メッセージは、Ｓｏｕｒｃｅ  ＨｅＮＢ２３がＴａｒｇｅｔ  ＭＭＥ３２へＵＥ４０との通信に関する情報を伝達するためにＳｏｕｒｃｅ  ＭＭＥ２２経由で送信するメッセージである。
【００３６】
また、Ｓｏｕｒｃｅ  ＨｅＮＢ２３は、ハンドオーバ処理開始前に受信し、かつＵＥ４０へ未達のＵＥ４０宛のＤＬデータを、ステップＳ１２で確立したＳｏｕｒｃｅ  Ｓ−ＧＷ２１へのデータ転送パスを使用して転送する。
【００３７】
この転送データはＳｏｕｒｃｅ  Ｓ−ＧＷ２１に到着後、Ｓｏｕｒｃｅ  Ｓ−ＧＷ２１〜Ｔａｒｇｅｔ  Ｓ−ＧＷ３１間及びＴａｒｇｅｔ  Ｓ−ＧＷ３１〜Ｔａｒｇｅｔ  ＨｅＮＢ３３間に確立したデータ転送パスにより、Ｔａｒｇｅｔ  ＨｅＮＢ３３へ配送される。以下、ハンドオーバ処理中にＳｏｕｒｃｅ  ＨｅＮＢ２３からＳｏｕｒｃｅ  Ｓ−ＧＷ２１へ転送され、Ｔａｒｇｅｔ  Ｓ−ＧＷ３１を介してＴａｒｇｅｔ  ＨｅＮＢ３３へ転送したデータを旧データと呼ぶ。Ｔａｒｇｅｔ  ＨｅＮＢ３３では、ステップＳ１１以降に転送されている中間データと、上記の旧データと、を区別することなく内部に蓄積し、ハンドオーバ完了までＵＥ４０に送信せずに保持する。
【００３８】
Ｓｏｕｒｃｅ  ＭＭＥ２２は、“ｅＮＢ  Ｓｔａｔｕｓ  Ｔｒａｎｓｆｅｒ”メッセージで受信した情報を“Ｆｏｒｗａｒｄ  Ａｃｃｅｓｓ  Ｃｏｎｔｅｘｔ  Ｎｏｔｉｆｉｃａｔｉｏｎ”メッセージに格納してＴａｒｇｅｔ  ＭＭＥ３２へ転送する（ステップＳ１５）。
【００３９】
Ｔａｒｇｅｔ  ＭＭＥ３２は“Ｆｏｒｗａｒｄ  Ａｃｃｅｓｓ  Ｃｏｎｔｅｘｔ  Ｎｏｔｉｆｉｃａｔｉｏｎ”メッセージで受信した情報を“Ｆｏｒｗａｒｄ  Ａｃｃｅｓｓ  Ｃｏｎｔｅｘｔ  Ａｃｋｎｏｗｌｅｄｇｅ”メッセージに乗せ換えてＳｏｕｒｃｅ  ＭＭＥ２２へ送信する（ステップＳ１６）。
【００４０】
Ｔａｒｇｅｔ  ＭＭＥ３２は”Ｆｏｒｗａｒｄ  Ａｃｃｅｓｓ  Ｃｏｎｔｅｘｔ  Ｎｏｔｉｆｉｃａｔｉｏｎ”メッセージで受信した情報を“ｅＮＢ  Ｓｔａｔｕｓ  Ｔｒａｎｓｆｅｒ”メッセージに格納してＴａｒｇｅｔ  ＨｅＮＢ３３へ転送する（ステップＳ１７）。以上のステップＳ１４、Ｓ１５、Ｓ１６およびステップＳ１７により、Ｓｏｕｒｃｅ  ＨｅＮＢ２３とＵＥ４０で送受した無線データに付与されたシーケンス番号情報がＴａｒｇｅｔ  ＨｅＮＢ３３へ通知される。
【００４１】
ＵＥ４０はＴａｒｇｅｔ  ＨｅＮＢ３３へのハンドオーバ完了後、“Ｈａｎｄｏｖｅｒ  Ｃｏｎｆｉｒｍ”メッセージをＴａｒｇｅｔ  ＨｅＮＢ３３へ送信する（ステップＳ１８）。Ｔａｒｇｅｔ  ＨｅＮＢ３３は、内部に蓄積した下りデータ（中間データおよび旧データ）をリオーダリング処理後にＵＥ４０へ送信し、また、“Ｈａｎｄｏｖｅｒ  Ｎｏｔｉｆｙ”メッセージをＴａｒｇｅｔ  ＭＭＥ３２へ送信してＵＥ４０のハンドオーバが完了したことを通知する（ステップＳ１９）。
【００４２】
なお、Ｔａｒｇｅｔ  ＨｅＮＢ３３が“Ｈａｎｄｏｖｅｒ  Ｃｏｎｆｉｒｍ”メッセージを受信した以降、ＵＥ４０からの上りデータはＴａｒｇｅｔ  ＨｅＮＢ３３〜Ｔａｒｇｅｔ  Ｓ−ＧＷ３１間、Ｔａｒｔｇｅｔ  Ｓ−ＧＷ３１〜ＰＤＮ−ＧＷ１０間で確立した上りデータパスにより、Ｔａｒｇｅｔ  ＨｅＮＢ３３からＰＤＮ−ＧＷ１０へ送信される。  
【００４３】
Ｔａｒｇｅｔ  ＭＭＥ３２は、Ｔａｒｇｅｔ  ＨｅＮＢ３３から“Ｈａｎｄｏｖｅｒ  Ｎｏｔｉｆｙ”メッセージを受信すると、“Ｆｏｒｗａｒｄ  Ｒｅｌｏｃａｔｉｏｎ  Ｃｏｍｐｌｅｔｅ  Ｎｏｔｉｆｉｃａｔｉｏｎ”メッセージをＳｏｕｒｃｅ  ＭＭＥ２２へ送信し、ＵＥ４０のハンドオーバが完了したことを通知する（ステップＳ２０）。
【００４４】
Ｓｏｕｒｃｅ  ＭＭＥ２２は“Ｆｏｒｗａｒｄ  Ｒｅｌｏｃａｔｉｏｎ  Ｃｏｍｐｌｅｔｅ  Ａｃｋｎｏｗｌｅｄｇｅ”メッセージをＴａｒｇｅｔ  ＭＭＥ３２へ返信すると共に、ハンドオーバ前のＵＥ４０関連リソースおよびハンドオーバ実行中のデータ転送パスを解放するためのタイマをスタートさせる（ステップＳ２１）。同様にＴａｒｇｅｔ  ＭＭＥ３２は“Ｆｏｒｗａｒｄ  Ｒｅｌｏｃａｔｉｏｎ  Ｃｏｍｐｌｅｔｅ  Ａｃｋｎｏｗｌｅｄｇｅ”メッセージを受信した後、ハンドオーバ実行中のデータ転送パスを解放するためのタイマをスタートさせる。
【００４５】
Ｔａｒｇｅｔ  ＭＭＥ３２は、Ｔａｒｇｅｔ  ＨｅＮＢ３３のＤＬ用ＴＥＩＤ情報を含む“Ｍｏｄｉｆｙ  Ｂｅａｒｅｒ  Ｒｅｑｕｅｓｔ”メッセージをＴａｒｇｅｔ  Ｓ−ＧＷ３１へ送信する（ステップＳ２２）。これにより、ハンドオーバ完了後のＴａｒｇｅｔ  Ｓ−ＧＷ３１からＴａｒｇｅｔ  ＨｅＮＢ３３方向への下りデータパスが確立される。
【００４６】
Ｔａｒｇｅｔ  Ｓ−ＧＷ３１は、ＤＬ用ＴＥＩＤを割り当て、“Ｍｏｄｉｆｉｙ  Ｂｅａｒｅｒ  Ｒｅｑｕｅｓｔ”メッセージに含めてＰＤＮ−ＧＷ１０へ送信する（ステップＳ２３）。これにより、ハンドオーバ完了後のＰＤＮ−ＧＷ１０からＴａｒｇｅｔ  Ｓ−ＧＷ３１方向への下りデータパスが確立される。
【００４７】
ＰＤＮ−ＧＷ１０は、“Ｍｏｄｉｆｙ  Ｂｅａｒｅｒ  Ｒｅｓｐｏｎｓｅ”メッセージをＴａｒｇｅｔ  Ｓ−ＧＷ３１へ返信する（ステップＳ２４）。Ｔａｒｇｅｔ  Ｓ−ＧＷ３１は、ＰＤＮ−ＧＷ１０のＵＬ用ＴＥＩＤ情報を含む“Ｍｏｄｉｆｙ  Ｂｅａｒｅｒ  Ｒｅｓｐｏｎｓｅ”メッセージをＴａｒｇｅｔ  ＭＭＥ３２へ返信する（ステップＳ２５）。
【００４８】
ＵＥ４０は、Ｔａｒｇｅｔ  ＨｅＮＢ３３経由で報知されるセルの識別子情報等に基づいて、自身の位置が接続していたセルと異なるセルに移動したと判断した場合に、“Ｔｒａｃｋｉｎｇ  Ａｒｅａ  Ｕｐｄａｔｅ  ｐｒｏｃｅｄｕｒｅ”を初期化する（ステップＳ２６）。
【００４９】
Ｓｏｕｒｃｅ  ＭＭＥ２２は、ステップＳ２１でスタートさせたタイマが終了した場合、“Ｄｅｌｅｔｅ  Ｓｅｓｓｉｏｎ  Ｒｅｑｕｅｓｔ”メッセージをＳｏｕｒｃｅ  Ｓ−ＧＷ２１へ送信する。このメッセージによりＳｏｕｒｃｅ  Ｓ−ＧＷ２１は、ハンドオーバ前のＵＥ４０関連リソースを解放する（ステップＳ２７）。
【００５０】
また、Ｓｏｕｒｃｅ  ＭＭＥ２２は、ステップＳ２１でスタートさせたタイマが終了すると（ステップＳ２１のタイマの開始から所定の時間が経過すると）、“ＵＥ  Ｃｏｎｔｅｘｔ  Ｒｅｌｅａｓｅ  Ｃｏｍｍａｎｄ”メッセージをＳｏｕｒｃｅ  ＨｅＮＢ２３へ送信する。このメッセージによりＳｏｕｒｃｅ  ＨｅＮＢ２３は、ハンドオーバ前のＵＥ４０関連リソースを解放する（ステップＳ２８）。
【００５１】
Ｓｏｕｒｃｅ  ＨｅＮＢ２３は、“ＵＥ  Ｃｏｎｔｅｘｔ  Ｒｅｌｅａｓｅ  Ｃｏｍｍａｎｄ”メッセージを受信すると“ＵＥ  Ｃｏｎｔｅｘｔ  Ｒｅｌｅａｓｅ  Ｃｏｍｐｌｅｔｅ”メッセージをＳｏｕｒｃｅ  ＭＭＥ２２へ返信する（ステップＳ２９）。Ｓｏｕｒｃｅ  Ｓ−ＧＷ２１は、“Ｄｅｌｅｔｅ  Ｓｅｓｓｉｏｎ  Ｒｅｑｕｅｓｔ”メッセージを受信すると“Ｄｅｌｅｔｅ  Ｓｅｓｓｉｏｎ  Ｒｅｓｐｏｎｓｅ”メッセージをＳｏｕｒｃｅ  ＭＭＥ２２へ返信する（ステップＳ３０）。
【００５２】
また、Ｓｏｕｒｃｅ  ＭＭＥ２２は、ステップＳ２１でスタートさせたタイマが終了すると、“Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージをＳｏｕｒｃｅ  Ｓ−ＧＷ２１へ送信する（ステップＳ３１）。Ｓｏｕｒｃｅ  Ｓ−ＧＷ２１は、ステップＳ１１で割り当てたハンドオーバ実行中のデータ転送パスを解放する。
【００５３】
Ｓｏｕｒｃｅ  Ｓ−ＧＷ２１は、“Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージを受信すると“Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージをＳｏｕｒｃｅ  ＭＭＥ２２へ返信する（ステップＳ３２）。
【００５４】
Ｔａｒｇｅｔ  ＭＭＥ３２はステップＳ２１でスタートさせたタイマが終了すると、“Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージをＴａｒｇｅｔ  Ｓ−ＧＷ３１へ送信する（ステップＳ３３）。このメッセージによりＴａｒｇｅｔ  Ｓ−ＧＷ３１は、ステップＳ８で割り当てたハンドオーバ処理中のデータ転送パスを解放する。
【００５５】
Ｔａｒｇｅｔ  Ｓ−ＧＷ３１は、“Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージを受信すると“Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージをＴａｒｇｅｔ  ＭＭＥ３２へ返信する（ステップＳ３４）。
【００５６】
本実施の形態では、Ｓｏｕｒｃｅ  ＨｅＮＢ２３，Ｔａｒｇｅｔ  ＨｅＮＢ３３がそれぞれ接続するＭＭＥおよびＳ−ＧＷが異なり、ＵＥ４０のハンドオーバ前後でＭＭＥおよびＳ−ＧＷが切り換わる（この場合は、Ｓｏｕｒｃｅ  ＭＭＥ２２からＴａｒｇｅｔ  ＭＭＥ３２に、Ｓｏｕｒｃｅ  Ｓ−ＧＷ２１からＴａｒｇｅｔ  Ｓ−ＧＷ３１にそれぞれ切り換わる）場合について説明したが、ＭＭＥまたはＳ−ＧＷのいずれかまたは両方がハンドオーバ前後で切り換わらない場合でも同様である。
【００５７】
ただし、ハンドオーバ前後で同一のＳ−ＧＷを使用する場合、上記ステップＳ１１以降でＳ−ＧＷからの下りデータ送信先がＳｏｕｒｃｅ  ＨｅＮＢ２３からＴａｒｇｅｔ  ＨｅＮＢ３３へ切り換わる際に、Ｓ−ＧＷからＳｏｕｒｃｅ  ＨｅＮＢ２３に対してエンドマーカー（ｅｎｄ  ｍａｒｋｅｒ）と呼ばれる特殊なデータを送信し、Ｓ−ＧＷからＳｏｕｒｃｅ  ＨｅＮＢ２３に送信される中間データの終わりを通知する必要がある。本実施の形態では、Ｓ−ＧＷからＳｏｕｒｃｅ  ＨｅＮＢ２３に中間データが送信されることはないため、Ｓ−ＧＷはステップＳ１１以降任意のタイミングでＳｏｕｒｃｅ  ＨｅＮＢ２３に対してエンドマーカーを送信すればよい。
【００５８】
また、Ｓｏｕｒｃｅ  Ｓ−ＧＷ２１ではＳｏｕｒｃｅ  ＨｅＮＢ２３から受信する旧データとＰＤＮ−ＧＷ１０から受信する中間データとを、受信した順番にＴａｒｇｅｔ  Ｓ−ＧＷ３１を経由しＴａｒｇｅｔ  ＨｅＮＢ３３へ送信しているが、旧データ、中間データを一時的に蓄積し、リオーダリング後に送信するようにしても良い。
【００５９】
なお、本実施の形態では、Ｓｏｕｒｃｅ  Ｓ−ＧＷ２１からＴａｒｇｅｔ  Ｓ−ＧＷ３１を経由してＴａｒｇｅｔ  ＨｅＮＢ３３への転送パスを設定するために、“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージ等を用いたが、転送パスの設定は、Ｓｏｕｒｃｅ  Ｓ−ＧＷ２１からＴａｒｇｅｔ  Ｓ−ＧＷ３１を経由してＴａｒｇｅｔ  ＨｅＮＢ３３へ転送するよう転送パスを設定する方法であれば、これ以外の方法で実施してもよい。
【００６０】
以上のように、本実施の形態では、ＵＥ４０のハンドオーバ処理中に、Ｓｏｕｒｃｅ  Ｓ−ＧＷ２１がＰＤＮ−ＧＷ１０から受信したデータをＴａｒｇｅｔ  Ｓ−ＧＷ３１を経由してＴａｒｇｅｔ  ＨｅＮＢ３３へ転送するようにした。そのため、Ｓｏｕｒｃｅ  Ｓ−ＧＷ２１からＳｏｕｒｃｅ  ＨｅＮＢ２３にユーザ回線の使用が想定される場合にも、ハンドオーバ時の通信遅延を削減し、転送データによるブロードバンド回線ひっ迫を軽減することができる。また、通信遅延を削減することができるため、Ｔａｒｇｅｔ  ＨｅＮＢ３３が転送データをリオーダリングの際のバッファ量も削減でき、コストを低下させることができる。
【００６１】
実施の形態２．
図３は、本発明にかかる通信システムの実施の形態２の構成例を示す図である。図３に示すように、本実施の形態の通信システムは、Ｓｏｕｒｃｅ  ＨｅＮＢ２３の上位にＳｏｕｒｃｅ  ＨｅＮＢ−ＧＷ２４を追加し、Ｔａｒｇｅｔ  ＨｅＮＢ３３の上位にＴａｒｇｅｔ  ＨｅＮＢ−ＧＷ３４を追加する以外は、実施の形態１の通信システムと同様である。実施の形態１と同様の機能を有する構成要素は、実施の形態１と同一の符号を付して説明を省略する。
【００６２】
ＨｅＮＢ−ＧＷ（Ｓｏｕｒｃｅ  ＨｅＮＢ−ＧＷ２４，Ｔａｒｇｅｔ  ＨｅＮＢ−ＧＷ３４）は、複数のＨｅＮＢを収容する機能を有し、自身が接続するＳ−ＧＷ（Ｓｏｕｒｃｅ  Ｓ−ＧＷ２１またはＴａｒｇｅｔ  Ｓ−ＧＷ３１）およびＭＭＥ（Ｓｏｕｒｃｅ  ＭＭＥ２２またはＴａｒｇｅｔ  ＭＭＥ３２）から受信したデータを、自身が収容するＨｅＮＢ（Ｓｏｕｒｃｅ  ＨｅＮＢ２３またはＴａｒｇｅｔ  ＨｅＮＢ３３）に転送する。また、ＨｅＮＢ−ＧＷは、自身が収容するＨｅＮＢからのデータは、自身の接続するＳ−ＧＷまたはＭＭＥへ転送する。なお、Ｓ−ＧＷは、ユーザデータに関しては、ＨｅＮＢ−ＧＷを経由することなくＨｅＮＢへ送信することも可能である。
【００６３】
つぎに、本実施の形態の動作を説明する。図４は、本実施の形態のハンドオーバ時のユーザデータ転送手順の一例を示すチャート図である。ここでは、実施の形態１と同様、ＵＥ４０が、Ｓｏｕｒｅ  ＨｅＮＢ２３のセル内から、Ｔａｒｇｅｔ  ＨｅＮＢ３３のセル内へ移動する例について説明する。
【００６４】
まず、ＵＥ４０はＳｏｕｒｃｅ  ＨｅＮＢ２３に接続しており、ハンドオーバ前の下りユーザデータは、ＰＤＮ−ＧＷ１０からＳｏｕｒｃｅ  Ｓ−ＧＷ２１，Ｓｏｕｒｃｅ  ＨｅＮＢ−ＧＷ２４，Ｓｏｕｒｃｅ  ＨｅＮＢ２３を経由し、ＵＥ４０へ送信される。また、ハンドオーバ前の上りユーザデータはＵＥ４０からＳｏｕｒｃｅ  ＨｅＮＢ２３，Ｓｏｕｒｃｅ  ＨｅＮＢ−ＧＷ２４，Ｓｏｕｒｃｅ  Ｓ−ＧＷ２１を経由して、ＰＤＮ−ＧＷ１０へ送信される。以下、ＵＥ４０がＳｏｕｒｃｅ  ＨｅＮＢ２３からＴａｒｇｅｔ  ＨｅＮＢ３３へハンドオーバする際の動作を順に説明する。
【００６５】
Ｓｏｕｒｃｅ  ＨｅＮＢ２３はＵＥ４０のＴａｒｇｅｔ  ＨｅＮＢ３３へのハンドオーバ実行を決定すると、“Ｈａｎｄｏｖｅｒ  Ｒｅｑｕｉｒｅｄ”をＳｏｕｒｃｅ  ＨｅＮＢ−ＧＷ２４を経由させ、Ｓｏｕｒｃｅ  ＭＭＥ２２へ送信する（ステップＳ１ａ）。
【００６６】
ステップＳ２〜ステップＳ４は、実施の形態１と同様である。ステップＳ４の後、Ｔａｒｇｅｔ  ＭＭＥ３２は、ステップＳ４で送信された“Ｃｒｅａｔｅ  Ｓｅｓｓｉｏｎ  Ｒｅｓｐｏｎｓｅ”メッセージから抽出したＴａｒｇｅｔ  Ｓ−ＧＷ３１のＵＬ用ＴＥＩＤ情報を含む“Ｈａｎｄｏｖｅｒ  Ｒｅｑｕｅｓｔ”メッセージをＴａｒｇｅｔ  ＨｅＮＢ−ＧＷ３４を経由して、Ｔａｒｇｅｔ  ＨｅＮＢ３３へ送信する（ステップＳ５ａ）。
【００６７】
Ｔａｒｇｅｔ  ＨｅＮＢ−ＧＷ３４は、“Ｈａｎｄｏｖｅｒ  Ｒｅｑｕｅｓｔ”メッセージを中継する際に、“Ｈａｎｄｏｖｅｒ  Ｒｅｑｕｅｓｔ”に含まれるＴａｒｇｅｔ  Ｓ−ＧＷ３１のＵＬ用ＴＥＩＤに対応するＵＬ中継用ＴＥＩＤを割り当て、“Ｈａｎｄｏｖｅｒ  Ｒｅｑｕｅｓｔ”メッセージに含まれるＴａｒｇｅｔ  Ｓ−ＧＷ３１のＵＬ用ＴＥＩＤと入れ換えて転送する。これにより、Ｔａｒｇｅｔ  ＨｅＮＢ３３〜Ｔａｒｇｅｔ  ＨｅＮＢ−ＧＷ３４間及びＴａｒｇｅｔ  ＨｅＮＢ−ＧＷ３４〜Ｔａｒｇｅｔ  Ｓ−ＧＷ３１間の２つの上りデータパスが形成され、ハンドオーバ完了後の上りデータはＴａｒｇｅｔ  ＨｅＮＢ３３からＴａｒｇｅｔ  ＨｅＮＢ−ＧＷ３４へ送信された後、Ｔａｒｇｅｔ  ＨｅＮＢ−ＧＷ３４によってＴａｒｇｅｔ  Ｓ−ＧＷ３１へ中継される。
【００６８】
Ｔａｒｇｅｔ  ＨｅＮＢ３３は、ＤＬ用ＴＥＩＤ、ＦＷ用ＴＥＩＤを割り当て、これらＴＥＩＤ情報を含む“Ｈａｎｄｏｖｅｒ  Ｒｅｑｕｅｓｔ  Ａｃｋｎｏｗｌｅｄｇｅ”メッセージをＴａｒｇｅｔ  ＨｅＮＢ−ＧＷ３４を経由させ、Ｔａｒｇｅｔ  ＭＭＥ３２へ返信する（ステップＳ６ａ）。Ｔａｒｇｅｔ  ＨｅＮＢ−ＧＷ３４は、“Ｈａｎｄｏｖｅｒ  Ｒｅｑｕｅｓｔ  Ａｃｋｎｏｗｌｅｄｇｅ”メッセージの中継経由時に、“Ｈａｎｄｏｖｅｒ  Ｒｅｑｕｅｓｔ  Ａｃｋｎｏｗｌｅｄｇｅ”に含まれるＤＬ用ＴＥＩＤ，ＦＷ用ＴＥＩＤにそれぞれ対応するＤＬ中継用ＴＥＩＤ，ＦＷ中継用ＴＥＩＤを割り当て、“Ｈａｎｄｏｖｅｒ  Ｒｅｑｕｅｓｔ  Ａｃｋｎｏｗｌｅｄｇｅ”メッセージに含まれるＴＥＩＤと入れ換えて転送する。
【００６９】
ステップＳ７〜ステップＳ１１は、実施の形態１と同様である。ステップＳ１１の後、Ｓｏｕｒｃｅ  ＭＭＥ２２は、“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージからＦＷ用ＴＥＩＤ情報を抽出し、“Ｈａｎｄｏｖｅｒ  Ｃｏｍｍａｎｄ”メッセージに含めてＳｏｕｒｃｅ  ＨｅＮＢ−ＧＷ２４を経由させてＳｏｕｒｃｅ  ＨｅＮＢ２３へ送信する（ステップＳ１２ａ）。
【００７０】
Ｓｏｕｒｃｅ  ＨｅＮＢ−ＧＷ２４は、“Ｈａｎｄｏｖｅｒ  Ｃｏｍｍａｎｄ”メッセージの中継時に、“Ｈａｎｄｏｖｅｒ  Ｃｏｍｍａｎｄ”に含まれるＳｏｕｒｃｅ  Ｓ−ＧＷ２１のＦＷ用ＴＥＩＤに対応するＦＷ中継用ＴＥＩＤを割り当て、“Ｈａｎｄｏｖｅｒ  Ｃｏｍｍａｎｄ”メッセージに含まれるＳｏｕｒｃｅ  Ｓ−ＧＷ２１のＦＷ用ＴＥＩＤと入れ換えて転送する。これにより、ハンドオーバ処理中のＳｏｕｒｃｅ  ＨｅＮＢ２３からＳｏｕｒｃｅ  Ｓ−ＧＷ２１方向へのデータ転送パスが確立される。
【００７１】
また、Ｓｏｕｒｃｅ  ＨｅＮＢ−ＧＷ２４は本ステップで確立されたＳｏｕｒｃｅ  ＨｅＮＢ２３〜Ｓｏｕｒｃｅ  Ｓ−ＧＷ２１間のデータ転送パスと、上記ステップＳ７およびステップＳ１０で確立されたＳｏｕｒｃｅ  Ｓ−ＧＷ２１〜Ｔａｒｇｅｔ  Ｓ−ＧＷ３１間、Ｔａｒｇｅｔ  Ｓ−ＧＷ３１〜Ｔａｒｇｅｔ  ＨｅＮＢ３３間のデータ転送パスを用いて、Ｓｏｕｒｃｅ  Ｓ−ＧＷ２１から受信したＵＥ４０宛の下りデータのＴａｒｇｅｔ  ＨｅＮＢ３３への転送を開始する。
【００７２】
Ｔａｒｇｅｔ  ＨｅＮＢ３３は、転送された下りデータを内部に蓄積し、ＵＥ４０のハンドオーバが完了するまでＵＥ４０に送信せず、保持する。以下、ハンドオーバ処理中にＳｏｕｒｃｅ  ＨｅＮＢ−ＧＷ２４がＳｏｕｒｃｅ  Ｓ−ＧＷ２１から受信し、Ｓｏｕｒｃｅ  Ｓ−ＧＷ２１，Ｔａｒｇｅｔ  Ｓ−ＧＷ３１，Ｔａｒｇｅｔ  ＨｅＮＢ−ＧＷ３４を経由してＴａｒｇｅｔ  ＨｅＮＢ３３へ転送したデータを中間データと呼ぶ。
【００７３】
ステップＳ１３は、実施の形態１と同様である。ステップ１４ａは、実施の形態１のステップＳ１４と同様であるが、“ｅＮＢ  Ｓｔａｔｕｓ  Ｔｒａｎｓｆｅｒ”メッセージはＳｏｕｒｃｅ  ＨｅＮＢ−ＧＷ２４を経由して送信される。
【００７４】
ステップＳ１５，ステップＳ１６は実施の形態１と同様である。ステップ１７ａは、実施の形態１のステップＳ１７と同様であるが、“ｅＮＢ  Ｓｔａｔｕｓ  Ｔｒａｎｓｆｅｒ”メッセージはＴａｒｇｅｔ  ＨｅＮＢ−ＧＷ３４を経由して送信される。
【００７５】
ステップＳ１８は実施の形態１と同様である。ステップＳ１９ａは、実施の形態１のステップＳ１９と同様であるが、“Ｈａｎｄｏｖｅｒ  Ｎｏｔｉｆｙ”メッセージはＴａｒｇｅｔ  ＨｅＮＢ−ＧＷ３４を経由して送信される。
【００７６】
ステップＳ２０，ステップＳ２１は実施の形態１と同様である。ステップＳ２１の後、Ｔａｒｇｅｔ  ＭＭＥ３２は、Ｔａｒｇｅｔ  ＨｅＮＢ−ＧＷ３４で入れ換えられたＴａｒｇｅｔ  ＨｅＮＢ３３のＤＬ中継用ＴＥＩＤに対応するＴＥＩＤ情報を含む“Ｍｏｄｉｆｙ  Ｂｅａｒｅｒ  Ｒｅｑｕｅｓｔ”メッセージをＴａｒｇｅｔ  Ｓ−ＧＷ３１へ送信する。これにより、ハンドオーバ完了後のＴａｒｇｅｔ  Ｓ−ＧＷ３１からＴａｒｇｅｔ  ＨｅＮＢ３３方向への下りデータパスが確立される。
【００７７】
ステップＳ２３〜ステップＳ２７は、実施の形態１と同様である。Ｓｏｕｒｃｅ  ＭＭＥ２２はステップＳ２１でスタートさせたタイマが終了した場合、“ＵＥ  Ｃｏｎｔｅｘｔ  Ｒｅｌｅａｓｅ  Ｃｏｍｍａｎｄ”メッセージをＳｏｕｒｃｅ  ＨｅＮＢ−ＧＷ２４を経由させて、Ｓｏｕｒｃｅ  ＨｅＮＢ２３へ送信する（ステップＳ２８ａ）。Ｓｏｕｒｃｅ  ＨｅＮＢ２３は、ハンドオーバ前のＵＥ４０関連リソースを解放する。また、Ｓｏｕｒｃｅ  ＨｅＮＢ−ＧＷ２４も同様に、ハンドオーバ前のＵＥ４０関連リソースを解放する。
【００７８】
ステップＳ２９ａは、実施の形態１のステップＳ２９と同様であるが、“ＵＥ  Ｃｏｎｔｅｘｔ  Ｒｅｌｅａｓｅ  Ｃｏｍｐｌｅｔｅ”メッセージはＴａｒｇｅｔ  ＨｅＮＢ−ＧＷ３４を経由して送信される。以降、ステップＳ３０〜ステップＳ３４は実施の形態１と同様である。
【００７９】
なお、本実施の形態では、Ｓｏｕｒｃｅ  ＨｅＮＢ２３及びＴａｒｇｅｔ  ＨｅＮＢ３３が接続するＭＭＥ及びＳ−ＧＷが異なり、ＵＥ４０のハンドオーバ前後で切り換わる場合について示したが、ＭＭＥまたはＳ−ＧＷのいずれかまたは両方が切り換わらない場合でも同様である。また、Ｓｏｕｒｃｅ  ＨｅＮＢ−ＧＷ２４は、Ｓｏｕｒｃｅ  ＨｅＮＢ２３からの旧データとＳｏｕｒｃｅ  Ｓ−ＧＷ２１を経由したＰＤＮ−ＧＷ１０からの中間データとを、受信した順番にＳｏｕｒｃｅ  Ｓ−ＧＷ２１、Ｔａｒｇｅｔ  Ｓ−ＧＷ３１、Ｔａｒｇｅｔ  ＨｅＮＢ−ＧＷ３４を経由しＴａｒｇｅｔ  ＨｅＮＢ３３へ送信しているが、旧データおよび中間データを一時的に蓄積し、リオーダリング後に送信しても良い。
【００８０】
以上のように、本実施の形態では、実施の形態１にＨｅＮＢ−ＧＷを追加した通信システムにおいて、ハンドオーバ実行中にＳｏｕｒｃｅ  ＨｅＮＢ−ＧＷ２４がＳｏｕｒｃｅ  Ｓ−ＧＷ２１から受信したデータを、Ｓｏｕｒｃｅ  Ｓ−ＧＷ２１、Ｔａｒｇｅｔ  Ｓ−ＧＷ３１、Ｔａｒｇｅｔ  ＨｅＮＢ−ＧＷ３４を経由してＴａｒｇｅｔ  ＨｅＮＢ３３へ転送することにした。そのため、ＨｅＮＢ−ＧＷを備える通信システムにおいて、Ｓｏｕｒｃｅ  ＨｅＮＢ−ＧＷ２４がハンドオーバ先へのデータ転送を実施することで実施の形態１と同様の効果を得ることができる。
【００８１】
実施の形態３．
図５は、本発明にかかる通信システムの実施の形態３の構成例を示す図である。図５に示すように、本実施の形態の通信システムは、実施の形態１の通信システムにＴａｒｇｅｔ  ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）３５，Ｔａｒｇｅｔ  ＲＮＣ（Ｒａｄｉｏ  Ｎｅｔｗｏｒｋ  Ｃｏｎｔｒｏｌｌｅｒ）３６、Ｔａｒｇｅｔ  ＮＢ（Ｎｏｄｅ  Ｂ）３７を追加し、Ｔａｒｇｅｔ  ＭＭＥ３２およびＴａｒｇｅｔ  ＨｅＮＢ３３を削除する以外は、実施の形態１の通信システムと同様である。実施の形態１と同様の機能を有する構成要素は、実施の形態１と同一の符号を付して説明を省略する。
【００８２】
実施の形態１および実施の形態２では、ＵＥ４０のハンドオーバ先無線アクセスネットワークがハンドオーバ元（Ｓｏｕｒｃｅ）無線アクセスネットワークと同一のＬＴＥシステムであることを想定していたが、本実施の形態ではハンドオーバ先（Ｔａｒｇｅｔ）無線アクセスネットワークが従来の３Ｇセルラシステムである場合を想定する。なお、本実施の形態では、ハンドオーバ先無線アクセスネットワークがＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の場合を例に説明するが、この例示によって本発明の適用の範囲が限定されるものではなく、例えばハンドオーバ先無線アクセスネットワークがＧＥＲＡＮ（ＧＳＭ／ＥＤＧＥ  Ｒａｄｉｏ  Ａｃｃｅｓｓ  Ｎｅｔｗｏｒｋ）であっても同様である。
【００８３】
つぎに、本実施の形態の動作を説明する。図６は、本実施の形態のハンドオーバ時のユーザデータ転送手順の一例を示すチャート図である。ここでは、実施の形態１と同様、ＵＥ４０が、Ｓｏｕｒｅ  ＨｅＮＢ２３のセル内から、Ｔａｒｇｅｔ  ＮＢ３７のセル内へ移動する例について説明する。
【００８４】
まず、ＵＥ４０はＳｏｕｒｃｅ  ＨｅＮＢ２３に接続しており、ハンドオーバ前の下りユーザデータはＰＤＮ−ＧＷ１０からＳｏｕｒｃｅ  Ｓ−ＧＷ２１，Ｓｏｕｒｃｅ  ＨｅＮＢ２３を経由し、ＵＥ４０へ送信される。また、ハンドオーバ前の上りユーザデータはＵＥ４０からＳｏｕｒｃｅ  ＨｅＮＢ２３，Ｓｏｕｒｃｅ  Ｓ−ＧＷ２１を経由して、ＰＤＮ−ＧＷ１０へ送信される。図６は、ＵＥ４０がＳｏｕｒｃｅ  ＨｅＮＢ２３からＴａｒｇｅｔ  ＮＢ３７へハンドオーバする際の動作シーケンスを示したものである。
【００８５】
本実施の形態の動作は、実施の形態１と同様であり、図６のステップＳ１０１〜ステップＳ１０４は、Ｔａｒｇｅｔ  ＭＭＥ３２をＴａｒｇｅｔ  ＳＧＳＮ３５に換える以外は、実施の形態１のステップＳ１〜Ｓ４と同様である。また、ステップＳ１０５〜ステップＳ１２７は、ハンドオーバ先がＵＴＲＡＮであるため、そのシステムに対応した手順のハンドオーバ処理が実施されるが、基本的な処理は実施の形態１と同様である。以下、実施の形態１と異なる部分を説明する。
【００８６】
ステップＳ１０４の後、Ｔａｒｇｅｔ  ＳＧＳＮ３５は、“Ｒｅｌｏｃａｔｉｏｎ  Ｒｅｑｕｅｓｔ”メッセージをＴａｒｇｔ  ＲＮＣ３６へ送信する（ステップＳ１０５）。Ｔａｒｇｅｔ  ＲＮＣ３６は、ＤＬ用ＴＥＩＤを割り当て、そのＴＥＩＤ情報を含む“Ｒｅｌｏｃａｔｉｏｎ  Ｒｅｑｕｅｓｔ  Ａｃｋｎｏｗｌｅｄｇｅ”メッセージをＴａｒｇｅｔ  ＳＧＳＮ３５へ返信する（ステップＳ１０６）。これにより、Ｔａｒｇｅｔ  ＳＧＳＮ３５からＴａｒｇｅｔ  ＲＮＣ３６方向への下りデータパスが確立される。
【００８７】
Ｔａｒｇｅｔ  ＳＧＳＮ３５は、ＤＬ用ＴＥＩＤを割り当て、そのＴＥＩＤ情報を含む“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージをＴａｒｇｅｔ  Ｓ−ＧＷ３１へ送信する（ステップＳ１０７）。これにより、Ｔａｒｇｅｔ  Ｓ−ＧＷ３１からＴａｒｇｅｔ  ＳＧＳＮ３５方向への下りデータパスが確立される。
【００８８】
Ｔａｒｇｅｔ  Ｓ−ＧＷ３１は、ＤＬ用ＴＥＩＤを割り当て、割り当てたＤＬ用ＴＥＩＤ情報を含む“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージをＴａｒｇｅｔ  ＳＧＳＮ３５へ返信する（ステップＳ１０８）。
【００８９】
Ｔａｒｇｅｔ  ＳＧＳＮ３５は、受信した“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージから抽出したＤＬ用ＴＥＩＤ情報を含む“Ｆｏｒｗａｒｄ  Ｒｅｌｏｃａｔｉｏｎ  Ｒｅｓｐｏｎｓｅ”メッセージをＳｏｕｒｃｅ  ＭＭＥ２２へ送信する（ステップＳ１０９）。
【００９０】
Ｓｏｕｒｃｅ  ＭＭＥ２２は、受信した“Ｆｏｒｗａｒｄ  Ｒｅｌｏｃａｔｉｏｎ  Ｒｅｓｐｏｎｓｅ”メッセージからＤＬ用ＴＥＩＤ情報を抽出し、“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ”メッセージに含めてＳｏｕｒｃｅ  Ｓ−ＧＷ２１へ送信する（ステップＳ１１０）。これにより、Ｓｏｕｒｃｅ  Ｓ−ＧＷ２１からＴａｒｇｅｔ  Ｓ−ＧＷ３１方向へのデータ転送パスが確立される。
【００９１】
Ｓｏｕｒｃｅ  Ｓ−ＧＷ２１は、Ｓｏｕｒｃｅ  ＨｅＮＢ２３が転送データの宛先として使用するＦＷ用ＴＥＩＤを割り当て、“Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ”メッセージに含めてＳｏｕｒｃｅ  ＭＭＥ２２へ返信する（ステップＳ１１１）。Ｓｏｕｒｃｅ  Ｓ−ＧＷ２１は上記ステップＳ１０６、ステップＳ１０７およびステップＳ１０で確立されたＳｏｕｒｃｅ  Ｓ−ＧＷ２１〜Ｔａｒｇｅｔ  Ｓ−ＧＷ３１間、Ｔａｒｇｅｔ  Ｓ−ＧＷ３１〜Ｔａｒｇｅｔ  ＳＧＳＮ３５間、Ｔａｒｇｅｔ  ＳＧＳＮ３５〜Ｔａｒｇｅｔ  ＲＮＣ３６間の下りデータパスを用い、ＰＤＮ−ＧＷ１０から受信したＵＥ４０宛の下りデータのＴａｒｇｅｔ  ＲＮＣ３６への転送を開始する。Ｔａｒｇｅｔ  ＲＮＣ３６は、転送されたデータを内部に蓄積し、ＵＥ４０のハンドオーバが完了するまでＵＥ４０に送信せず、保持する。
【００９２】
ステップＳ１１２以降は、ＬＴＥシステム（Ｅ（Ｅｖｏｌｖｅｄ）−ＵＴＲＡＮ）同士のハンドオーバ手順を、Ｅ−ＵＴＲＡＮからＵＴＲＡＮへのハンドオーバ手順に変更する以外は実施の形態１と同様である。Ｅ−ＵＴＲＡＮからＵＴＲＡＮへのハンドオーバ手順は、従来と同様であるため詳細な説明は省略するが、実施の形態１と異なる部分を以下に示す。
【００９３】
ステップＳ１１２は、実施の形態１のステップＳ１２と同様であり、ステップＳ１１２の後、Ｓｏｕｒｃｅ  ＨｅＮＢ２３は、ＵＥ４０にＬＴＥシステムからＵＴＲＡＮシステムへハンドオーバするための“ＨＯ  ｆｒｏｍ  Ｅ（Ｅｖｏｌｖｅｄ）−ＵＴＲＡＮ  Ｃｏｍｍａｎｄ”メッセージをＵＥ４０へ送信する（ステップＳ１１３）。ＵＥ４０は、“ＵＴＲＡＮ  Ｉｕ  Ａｃｃｅｓｓ  Ｐｒｏｃｅｄｕｒｅｓ”手順を実施し（ステップＳ１１４）、終了後に“Ｈａｎｄｏｖｅｒ  ｔｏ  ＵＴＲＡＮ  Ｃｏｍｐｌｅｔｅ”メッセージをＴａｒｇｅｔ  ＲＮＣ３６に送信する（ステップＳ１１５）。その後、Ｓｏｕｒｃｅ  ＨｅＮＢ２３は、ハンドオーバ処理中に受信したＵＥ４０宛のデータ（旧データ）を、Ｓｏｕｒｃｅ  Ｓ−ＧＷ２１，Ｔａｒｇｅｔ  Ｓ−ＧＷ３１，Ｔａｒｇｅｔ  ＳＧＳＮ３５経由でＴａｒｇｅｔ  ＲＮＣ３６に転送する。
【００９４】
Ｔａｒｇｅｔ  ＲＮＣ３６は、“Ｈａｎｄｏｖｅｒ  ｔｏ  ＵＴＲＡＮ  Ｃｏｍｐｌｅｔｅ”メッセージを受信すると、“Ｒｅｌｏｃａｔｉｏｎ  Ｃｏｍｐｌｅｔｅ”メッセージをＴａｒｇｅｔ  ＳＧＳＮ３５に送信する（ステップＳ１１６）。以下、ステップＳ１１７〜ステップＳ１２９は、Ｅ−ＵＴＲＡＮからＵＴＲＡＮへのハンドオーバに対応する処理となる以外は、実施の形態１のステップＳ２０〜ステップＳ２５と同様である。
【００９５】
なお、ハンドオーバ前後で同一のＳ−ＧＷを使用する場合のエンドマーカーに関する処理は、実施の形態１と同様である。
【００９６】
以上のように、本実施の形態では、異なるアクセスネットワーク間でのハンドオーバ（Ｅ−ＵＴＲＡＮからＵＴＲＡＮへのハンドオーバ）実行中にＳｏｕｒｃｅ  Ｓ−ＧＷ２１がＰＤＮ−ＧＷ１０から受信したＵＥ４０宛のデータをＴａｒｇｅｔ  Ｓ−ＧＷ３１を介してＴａｒｇｅｔ  ＲＮＣ３６へ転送するようにした。そのため、Ｅ−ＵＴＲＡＮからＵＴＲＡＮへハンドオーバする場合に、実施の形態１と同様の効果を得ることができる。
【００９７】
なお、本実施の形態の通信システムに、ハンドオーバ元の無線アクセスネットワークに実施の形態２と同様にＳｏｕｒｃｅ  ＨｅＮＢ−ＧＷ２４を設置する場合には、ハンドオーバ元アクセスネットワーク側の動作を実施の形態２と同様とし、本実施の形態の動作を実施すればよい。
【００９８】
実施の形態４．
つぎに、本発明にかかる実施の形態４のリオーダリング方法について説明する。本実施の形態の通信システムの構成は実施の形態１と同様である。本実施の形態では、実施の形態１の動作とリオーダリング方法が異なるがそれ以外は実施の形態１と同様である。以下、実施の形態１と異なる点について、図２を用いて説明する。
【００９９】
本実施の形態では、ステップＳ３では、Ｔａｒｇｅｔ  ＭＭＥ３２はＴａｒｇｅｔ  Ｓ−ＧＷ３１に対するリオーダリングの実施を要求するリオーダリング要求情報を含む“Ｃｒｅａｔｅ  Ｓｅｓｓｉｏｎ  Ｒｅｑｕｅｓｔ”メッセージをＴａｒｇｅｔ  Ｓ−ＧＷ３１へ送信する（ステップＳ３）。Ｔａｒｇｅｔ  Ｓ−ＧＷ３１は、リオーダリング要求情報に基づいてＳｏｕｒｃｅ  Ｓ−ＧＷ２１から転送される旧データおよび中間データと、ＰＤＮ−ＧＷ１０のデータ送信パスが切り換わった後の新規データを一時的に蓄積し、リオーダリング後にＴａｒｇｅｔ  ＨｅＮＢ３３へ転送する。
【０１００】
ステップＳ５では、Ｔａｒｇｅｔ  ＭＭＥ３２はＴａｒｇｅｔ  ＨｅＮＢ３３に対するリオーダリングの停止を要求するリオーダリング不要情報を含む“Ｈａｎｄｏｖｅｒ  Ｒｅｑｕｅｓｔ”メッセージをＴａｒｇｅｔ  ＨｅＮＢ３３へ送信する（ステップＳ５）。
【０１０１】
ステップＳ６では、Ｔａｒｇｅｔ  ＨｅＮＢ３３はリオーダリングされたデータのみ受信するため、ＤＬ用ＴＥＩＤのみを割り当て、“Ｈａｎｄｏｖｅｒ  Ｒｅｑｕｅｓｔ  Ａｃｋｎｏｗｌｅｄｇｅ”メッセージに格納してＴａｒｇｅｔ  ＭＭＥ３２へ返信する。
【０１０２】
ステップＳ１１以降、Ｓｏｕｒｃｅ  Ｓ−ＧＷ２１〜Ｔａｒｇｅｔ  Ｓ−ＧＷ３１間のデータ転送パスが確立された後には、Ｓｏｕｒｃｅ  Ｓ−ＧＷ２１から旧データ，中間データがＴａｒｇｅｔ  Ｓ−ＧＷ３１に転送されるが、Ｔａｒｇｅｔ  Ｓ−ＧＷ３１は、旧データと中間データのリオーダリングを行なった後にＴａｒｇｅｔ  ＨｅＮＢ３３にデータを転送する。
【０１０３】
ハンドオーバ完了後（ステップＳ２５の後）、ＰＤＮ−ＧＷ１０は下りデータの送信先をＳｏｕｒｃｅ  Ｓ−ＧＷ２１からＴａｒｇｅｔ  Ｓ−ＧＷ３１に切り替えてデータを送信する。Ｔａｒｇｅｔ  Ｓ−ＧＷ３１は、ＰＤＮ−ＧＷ１０からパス切り替え後にＵＥ４０宛の新規データを受信した場合、Ｓｏｕｒｃｅ  Ｓ−ＧＷ２１から受信し、リオーダリング及びＴａｒｇｅｔ  ＨｅＮＢ３３への送信が完了していない旧データおよび中間データが残っている場合には、旧データおよび中間データの送信が完了するまでＰＤＮ−ＧＷ１０から受信した新規データのＴａｒｇｅｔ  ＨｅＮＢ３３への転送を待ち合わせる。以上述べた以外の本実施の形態の動作は、実施の形態１と同様である。
【０１０４】
以上のように、本実施の形態では、ハンドオーバ実行時にハンドオーバ先のＴａｒｇｅｔ  Ｓ−ＧＷ３１がハンドオーバ元からの転送データとＰＤＮ−ＧＷ１０からのパス切り換え後の新規データとに対してリオーダリングを行うようにした。そのため、実施の形態１と同様の効果が得られるとともに、ハンドオーバ先のＴａｒｇｅｔ  ＨｅＮＢ３３でのリオーダリングが不要となりリオーダリング用バッファを削減することができ、Ｔａｒｇｅｔ  ＨｅＮＢ３３のコストを低下させることができる。
【０１０５】
なお、本実施の形態では、Ｔａｒｇｅｔ  Ｓ−ＧＷ３１は、ステップＳ１１〜Ｓ１７のハンドオーバ実行中に受信した旧データおよび中間データを、リオーダリング完了後にＴａｒｇｅｔ  ＨｅＮＢ３３へ転送するようにした。これに限らず、Ｔａｒｇｅｔ  Ｓ−ＧＷ３１は、リオーダリング完了後も内部にデータを蓄積し、Ｔａｒｇｅｔ  ＭＭＥ３２がステップＳ１９によりハンドオーバ完了を認識した後にＴａｒｇｅｔ  Ｓ−ＧＷ３１に対してＴａｒｇｅｔ  ＨｅＮＢ３３へのデータ送信を指示するようにしても良い。この場合、Ｔａｒｇｅｔ  ＨｅＮＢ３３は、上記リオーダリング用バッファの削減に加えて、さらにハンドオーバ実行中に受信した下りデータを蓄積するためのバッファの容量を削減することができる。
【０１０６】
実施の形態５．
つぎに、本発明にかかる実施の形態５のリオーダリング方法について説明する。本実施の形態の通信システムの構成は実施の形態２と同様である。本実施の形態では、実施の形態２の動作とリオーダリング方法が異なるがそれ以外は実施の形態２と同様である。以下、実施の形態２と異なる点について、図４を用いて説明する。
【０１０７】
実施の形態４では、Ｔａｒｇｅｔ  Ｓ−ＧＷ３１が、Ｓｏｕｒｃｅ  Ｓ−ＧＷ２１から転送されてくる旧データおよび中間データと、ハンドオーバ完了後にＰＤＮ−ＧＷ１０から送信されてくる新規データをリオーダリングした後にＴａｒｇｅｔ  ＨｅＮＢ３３に転送するようにしたが、本実施の形態では、旧データ、中間データおよび新規データのリオーダリングをＴａｒｇｅｔ  ＨｅＮＢ−ＧＷ３４が行なう。
【０１０８】
ステップＳ５ａでは、Ｔａｒｇｅｔ  ＭＭＥ３２はＴａｒｇｅｔ  ＨｅＮＢ−ＧＷ３４に対するリオーダリング要求情報、Ｔａｒｇｅｔ  ＨｅＮＢ３３に対するリオーダリング不要情報を含む“Ｈａｎｄｏｖｅｒ  Ｒｅｑｕｅｓｔ”メッセージをＴａｒｇｅｔ  ＨｅＮＢ−ＧＷ３４へ送信する。Ｔａｒｇｅｔ  ＨｅＮＢ−ＧＷ３４は、中継する“Ｈａｎｄｏｖｅｒ  Ｒｅｑｕｅｓｔ”メッセージに含まれるＴａｒｇｅｔ  ＨｅＮＢ−ＧＷ３４に対するリオーダリング要求情報に基づいてリオーダリングを行なうことを認識し、実施の形態２と同様にＴａｒｇｅｔ  Ｓ−ＧＷ３１のＵＬ用ＴＥＩＤに対応するＵＬ中継用ＴＥＩＤを割り当て、ＵＬ中継用ＴＥＩＤを“Ｈａｎｄｏｖｅｒ  Ｒｅｑｕｅｓｔ”メッセージに含まれるＴａｒｇｅｔ  Ｓ−ＧＷ３１のＵＬ用ＴＥＩＤと入れ替えてＴａｒｇｅｔ  ＨｅＮＢ３３へ転送する。
【０１０９】
ステップＳ６ａでは、Ｔａｒｇｅｔ  ＨｅＮＢ３３は、受信した“Ｈａｎｄｏｖｅｒ  Ｒｅｑｕｅｓｔ”メッセージに含まれる、Ｔａｒｇｅｔ  ＨｅＮＢ３３に対するリオーダリング不要情報より、リオーダリングされたデータのみ受信することを認識し、ＤＬ用ＴＥＩＤのみを割り当て、ＤＬ用ＴＥＩＤを“Ｈａｎｄｏｖｅｒ  Ｒｅｑｕｅｓｔ  Ａｃｋｎｏｗｌｅｄｇｅ”メッセージに格納してＴａｒｇｅｔ  ＭＭＥ３２へ返信する。
【０１１０】
ステップＳ１１以降、Ｓｏｕｒｃｅ  Ｓ−ＧＷ２１〜Ｔａｒｇｅｔ  Ｓ−ＧＷ３１間のデータ転送パスが確立された後、Ｓｏｕｒｃｅ  Ｓ−ＧＷ２１から旧データ，中間データがＴａｒｇｅｔ  Ｓ−ＧＷ３１を経由してＴａｒｇｅｔ  ＨｅＮＢ−ＧＷ３４に転送されるが、Ｔａｒｇｅｔ  ＨｅＮＢ−ＧＷ３４では旧データと中間データのリオーダリングを行なった後にＴａｒｇｅｔ  ＨｅＮＢ３３にデータを転送する。
【０１１１】
ハンドオーバ完了後（ステップＳ２５の後）、ＰＤＮ−ＧＷ１０は下りデータの送信先をＳｏｕｒｃｅ  Ｓ−ＧＷ２１からＴａｒｇｅｔ  Ｓ−ＧＷ３１に切り替えてデータを送信するが、Ｔａｒｇｅｔ  ＨｅＮＢ−ＧＷ３４はＳｏｕｒｃｅ  Ｓ−ＧＷ２１から受信し、リオーダリング及びＴａｒｇｅｔ  ＨｅＮＢ３３への送信が完了していない旧データおよび中間データが残っている場合には、旧データおよび中間データの送信が終了するまでＰＤＮ−ＧＷ１０からＳｏｕｒｃｅ  Ｓ−ＧＷ２１を経由して受信した新規データのＴａｒｇｅｔ  ＨｅＮＢ３３への転送を待ち合わせる。
【０１１２】
以上のように、本実施の形態では、ハンドオーバ実行時にＴａｒｇｅｔ  ＨｅＮＢ−ＧＷ３４が、ハンドオーバ元からの転送データ（中間データおよび旧データ）とＰＤＮ−ＧＷ１０のパス切り換え後の新規データとのリオーダリングを行うようにした。そのため、実施の形態１と同様の効果が得られるとともに、ハンドオーバ先のＴａｒｇｅｔ  ＨｅＮＢ３３でのリオーダリングが不要となりリオーダリング用バッファを削減することができ、Ｔａｒｇｅｔ  ＨｅＮＢ３３のコストを低下させることができる。
【０１１３】
なお、本実施の形態では、ステップＳ５ａでＴａｒｇｅｔ  ＭＭＥ３２はＴａｒｇｅｔ  ＨｅＮＢ−ＧＷ３４に対するリオーダリング要求情報と、Ｔａｒｇｅｔ  ＨｅＮＢ３３に対するリオーダリング不要情報を含む“Ｈａｎｄｏｖｅｒ  Ｒｅｑｕｅｓｔ”メッセージをＴａｒｇｅｔ  ＨｅＮＢ−ＧＷ３４に送信するようにしたが、これに限らず、たとえばリオーダリングエンティティをＨｅＮＢまたはＨｅＮＢ−ＧＷのいずれであるかを指定する１つの情報要素として両者を統合して指定してもよい。
【０１１４】
また、本実施の形態では、ステップＳ１１〜Ｓ１７ａのハンドオーバ実行中にＴａｒｇｅｔ  ＨｅＮＢ−ＧＷ３４が受信した旧データ及び中間データは、Ｔａｒｇｅｔ  ＨｅＮＢ−ＧＷ３４にてリオーダリング完了後にＴａｒｇｅｔ  ＨｅＮＢ３３へ転送するようにしたが、Ｔａｒｇｅｔ  ＨｅＮＢ３３はリオーダリング完了後も内部にデータを蓄積し、Ｔａｒｇｅｔ  ＭＭＥ３２がステップＳ１９ａにてハンドオーバ完了を認識した後Ｔａｒｇｅｔ  ＨｅＮＢ−ＧＷ３４に対してＴａｒｇｅｔ  ＨｅＮＢ３３へのデータ送信を指示するようにしても良い。この場合、Ｔａｒｇｅｔ  ＨｅＮＢ３３は、リオーダリングバッファの削減に加えて、ハンドオーバ実行中に受信した下りデータを蓄積するためのバッファの容量を削減することができる。
【０１１５】
実施の形態６．
図７は、本発明にかかる通信システムの実施の形態６の構成例を示す図である。図７に示すように、本実施の形態の通信システムは、実施の形態１の通信システムにＳｏｕｒｃｅ  ＳＧＳＮ２５，Ｓｏｕｒｃｅ  ＲＮＣ（Ｒａｄｉｏ  Ｎｅｔｗｏｒｋ  Ｃｏｎｔｒｏｌｌｅｒ）２６、Ｓｏｕｒｃｅ  ＮＢ（Ｎｏｄｅ  Ｂ）２７を追加し、Ｓｏｕｒｃｅ  ＭＭＥ２２およびＳｏｕｒｃｅ  ＨｅＮＢ２３を削除する以外は、実施の形態１の通信システムと同様である。実施の形態１と同様の機能を有する構成要素は、実施の形態１と同一の符号を付して説明を省略する。
【０１１６】
実施の形態３では、ハンドオーバ元無線アクセスネットワークがＬＴＥシステム（Ｅ−ＵＴＲＡＮ）であり、ハンドオーバ先無線アクセスネットワークが従来の３Ｇセルラシステム（ＵＴＲＡＮ等）である場合について説明したが、本実施の形態では、ハンドオーバ元無線アクセスネットワークが従来の３Ｇセルラシステムであり、ハンドオーバ先無線アクセスネットワークがＬＴＥシステムである場合について説明する。なお、本実施の形態では、ハンドオーバ元無線アクセスネットワークがＵＴＲＡＮの場合を例に説明するが、これに限らず、たとえば、ハンドオーバ元無線アクセスネットワークがＧＥＲＡＮ（GSM（Global  System  for  Mobile  Communications）  EDGE（Enhanced  Data  Rates  for  GSM  Evolution）  Radio  Access  Network）等であってもよい。その場合、その無線アクセスネットワーク内の動作は、その無線アクセスネットワークに対応した動作に変更すればよい。
【０１１７】
つぎに、本実施の形態の動作を説明する。図８は、本実施の形態のハンドオーバ時のユーザデータ転送手順の一例を示すチャート図である。ここでは、ＵＥ４０が、Ｓｏｕｒｅ  ＮＢ２７のセル内から、Ｔａｒｇｅｔ  ＨｅＮＢ３３のセル内へ移動する例について説明する。
【０１１８】
まず、ＵＥ４０はＳｏｕｒｃｅ  ＮＢ２７を介してＳｏｕｒｃｅ  ＲＮＣ２６に接続しており、ハンドオーバ前の下りユーザデータはＰＤＮ−ＧＷ１０からＳｏｕｒｃｅ  Ｓ−ＧＷ２１、Ｓｏｕｒｃｅ  ＳＧＳＮ２５，Ｓｏｕｒｃｅ  ＲＮＣ２６を経由し、Ｓｏｕｒｃｅ  ＮＢ２７を介してＵＥ４０へ送信される。また、ハンドオーバ前の上りユーザデータはＵＥ４０からＳｏｕｒｃｅ  ＮＢ２７を介し、Ｓｏｕｒｃｅ  ＨｅＮＢ２３，Ｓｏｕｒｃｅ  ＲＮＣ２６，Ｓｏｕｒｃｅ  ＳＧＳＮ２５，Ｓｏｕｒｃｅ  Ｓ−ＧＷ２１を経由してＰＤＮ−ＧＷ１０へ送信される。なお、図８では、図の簡略化のため、Ｓｏｕｒｃｅ  ＮＢ２７を省略しているが、ハンドオーバの完了前のＵＥ４０とＳｏｕｒｃｅ  ＲＮＣ２６との通信は、Ｓｏｕｒｃｅ  ＮＢ２７を経由している。
【０１１９】
本実施の形態の動作は、ハンドオーバ元無線アクセスネットワーク内での動作がＵＴＲＡＮに対応する動作となる以外は、実施の形態４の動作と同様である。本実施の形態では、実施の形態４と同様に、Ｔａｒｇｅｔ  Ｓ−ＧＷ３１が、旧データおよび転送データと、新規データと、のリオーダリングを行いリオーダリング処理後のデータをＴａｒｇｅｔ  ＨｅＮＢ３３へ転送する。
【０１２０】
まず、Ｓｏｕｒｃｅ  ＲＮＣ２６が、ＵＥ４０のハンドオーバを要求する“Ｒｅｌｏｃａｔｉｏｎ  Ｒｅｑｕｉｒｅｄ”メッセージをＳｏｕｒｃｅ  ＳＧＳＮ２５へ送信する（ステップＳ２０１）。ステップＳ２０２は、実施の形態４のＳｏｕｒｃｅ  ＭＭＥ２２の動作をＳｏｕｒｃｅ  ＳＧＳＮ２５が実施する以外は、実施の形態４のステップＳ２と同様である。
【０１２１】
ステップＳ２０２の後、Ｔａｒｇｅｔ  ＭＭＥ３２はＴａｒｇｅｔ  Ｓ−ＧＷ３１に対するリオーダリング要求情報を含む“Ｃｒｅａｔｅ  Ｓｅｓｓｉｏｎ  Ｒｅｑｕｅｓｔ”メッセージをＴａｒｇｅｔ  Ｓ−ＧＷ３１へ送信する（ステップＳ２０３）。Ｔａｒｇｅｔ  Ｓ−ＧＷ３１はＳｏｕｒｃｅ側（Ｓｏｕｒｃｅ  Ｓ−ＧＷ２１）から転送される旧データおよび中間データと、ＰＤＮ−ＧＷ１０のデータ送信パスが切り換わった後の新規データと、を一時的に蓄積し、リオーダリング後にＴａｒｇｅｔ  ＨｅＮＢ３３へ転送する。ステップＳ２０４は、実施の形態４のステップＳ４と同様である。
【０１２２】
Ｔａｒｇｅｔ  ＭＭＥ３２はＴａｒｇｅｔ  ＨｅＮＢ３３に対するリオーダリング不要情報を含む“Ｈａｎｄｏｖｅｒ  Ｒｅｑｕｅｓｔ”メッセージをＴａｒｇｅｔ  ＨｅＮＢ３３へ送信する（ステップＳ２０５）。Ｔａｒｇｅｔ  ＨｅＮＢ３３はリオーダリングされたデータのみ受信するため、ＤＬ用ＴＥＩＤのみを割り当て、ＤＬ用ＴＥＩＤを“Ｈａｎｄｏｖｅｒ  Ｒｅｑｕｅｓｔ  Ａｃｋｎｏｗｌｅｄｇｅ”メッセージに格納してＴａｒｇｅｔ  ＭＭＥ３２へ返信する（ステップＳ２０６）。
【０１２３】
ステップＳ２０７〜ステップＳ２１１は、実施の形態４のＳｏｕｒｃｅ  ＭＭＥ２２の動作をＳｏｕｒｃｅ  ＳＧＳＮ２５が実施する以外は、実施の形態４のステップＳ７〜ステップＳ１１と同様である。ステップＳ２１１の後、Ｓｏｕｒｃｅ  ＳＧＳＮ２５がＳｏｕｒｃｅ  ＲＮＣ２６へ“Ｒｅｌｏｃａｔｉｏｎ  Ｃｏｍｍａｎｄ”を送信し（ステップＳ２１２）、Ｓｏｕｒｃｅ  ＲＮＣ２６は、ＵＴＲＡＮへのハンドオーバを指示する“ＨＯ  ｆｒｏｍ  ＵＴＲＡＮ  Ｃｏｍｍａｎｄ”を送信する（ステップＳ２１３）。そして、ＵＥ４０がＥ−ＵＴＲＡＮでＴａｒｇｅｔ  ＨｅＮＢ３３に接続するための“Ｅ−ＵＴＲＡＮ  Ａｃｃｅｓｓ  Ｐｒｏｃｅｄｕｒｅｓ”が実施される（ステップＳ２１４）。
【０１２４】
ステップＳ２１４の後、ＵＥ４０は、ハンドオーバ完了を通知する“ＨＯ  ｔｏ  Ｅ−ＵＴＲＡＮ  Ｃｏｍｐｌｅｔｅ”メッセージをＴａｒｇｅｔ  ＨｅＮＢ３３へ送信する（ステップＳ２１５）。ステップＳ１１でＳｏｕｒｃｅ  Ｓ−ＧＷ２１〜Ｔａｒｇｅｔ  Ｓ−ＧＷ３１間のデータ転送パスが確立された後、ステップＳ２１５でハンドオーバが完了するまでＳｏｕｒｃｅ  Ｓ−ＧＷ２１から旧データおよび中間データがＴａｒｇｅｔ  Ｓ−ＧＷ３１に転送されるが、Ｔａｒｇｅｔ  Ｓ−ＧＷ３１では旧データと中間データのリオーダリングを行なった後にＴａｒｇｅｔ  ＨｅＮＢ３３にデータを転送する。
【０１２５】
ハンドオーバ完了後、ＰＤＮ−ＧＷ１０は下りデータの送信先をＳｏｕｒｃｅ  Ｓ−ＧＷ２１からＴａｒｇｅｔ  Ｓ−ＧＷ３１に切り替えてデータを送信するが、Ｔａｒｇｅｔ  Ｓ−ＧＷ３１は、Ｓｏｕｒｃｅ  Ｓ−ＧＷ２１から受信し、リオーダリング及びＴａｒｇｅｔ  ＨｅＮＢ３３への送信が完了していない旧データおよび中間データが残っている場合には、旧データおよび中間データを送信するまでＰＤＮ−ＧＷ１０から受信した新規データのＴａｒｇｅｔ  ＨｅＮＢ３３への転送を待ち合わせる。
【０１２６】
ステップＳ２１５の後、実施の形態４のステップＳ１９〜ステップＳ２７と同様に、ステップＳ２１６〜ステップＳ２２４を実施する。ただし、実施の形態４のＳｏｕｒｃｅ  ＭＭＥ２２の動作をＳｏｕｒｃｅ  ＳＧＳＮ２５が実施する。
【０１２７】
ステップＳ２２４の後、Ｓｏｕｒｃｅ  ＲＮＣ２６およびＳｏｕｒｃｅ  ＳＧＳＮ２５は、ＵＥ４０との通信のためのリソースを解放するための“Ｉｕ  Ｒｅｌｅａｓｅ  Ｐｒｏｃｅｄｕｒｅ”を実施する（ステップＳ２２５，２２６）。そして、実施の形態４のステップＳ３０と同様のステップＳ２２７を実施し、Ｔａｒｇｅｔ  ＭＭＥ３２とＴａｒｇｅｔ  Ｓ−ＧＷ３１との間で実施の形態４のステップＳ３３，ステップＳ３４に相当する“Ｄｅｌｅｔｅ  Ｂｅａｒｅｒ”処理を実施する（ステップＳ２２８，Ｓ２２９）。
【０１２８】
なお、本実施の形態では、ハンドオーバ実行時にＴａｒｇｅｔ  Ｓ−ＧＷ３１が、実施の形態４と同様に、リオーダリングを行なうようにしたが、これに限らず、Ｔａｒｇｅｔ  Ｓ−ＧＷ３１はリオーダリングを行なわず、実施の形態１と同様にＴａｒｇｅｔ  ＨｅＮＢ３３がリオーダリングを行なうようにしてもよい。また、実施の形態５のように、ハンドオーバ先がＴａｒｇｅｔ  ＨｅＮＢ−ＧＷ３４を備える場合は、実施の形態５と同様にＴａｒｇｅｔ  ＨｅＮＢ−ＧＷ３４がリオーダリングを行なってもよい。
【０１２９】
以上のように、本実施の形態では、ハンドオーバ元がＵＴＲＡＮに対応するネットワークでありハンドオーバ先がＥ−ＵＴＲＡＮに対応するネットワークである場合に、ハンドオーバ実行時にＴａｒｇｅｔ  Ｓ−ＧＷ３１がハンドオーバ元からの転送データとＰＤＮ−ＧＷ１０でのパス切り換え後の新規データのリオーダリングを行うようにした。そのため、異なる方式の無線アクセスネットワーク間のハンドオーバ時にも、実施の形態１と同様の効果が得られるとともに、さらに、Ｔａｒｇｅｔ  ＨｅＮＢ３３でのリオーダリングを不要とし、Ｔａｒｇｅｔ  ＨｅＮＢ３３のリオーダリング用バッファを削減することができる。
【０１３０】
なお、本実施の形態では、ステップＳ２１１〜ステップＳ２１４までのハンドオーバ実行中にＴａｒｇｅｔ  Ｓ−ＧＷ３１が受信した旧データ及び中間データは、Ｔａｒｇｅｔ  Ｓ−ＧＷ３１にてリオーダリング完了後にＴａｒｇｅｔ  ＨｅＮＢ３３へ転送するようにしたが、Ｔａｒｇｅｔ  Ｓ−ＧＷ３１はリオーダリング完了後も内部にデータを蓄積し、Ｔａｒｇｅｔ  ＭＭＥ３２がステップＳ２１５にてハンドオーバ完了を認識した後Ｔａｒｇｅｔ  Ｓ−ＧＷ３１に対してＴａｒｇｅｔ  ＨｅＮＢ３３へのデータ送信を指示するようにしても良い。この場合、上記リオーダリングバッファの削減に加えて、Ｔａｒｇｅｔ  ＨｅＮＢ３３は、ハンドオーバ実行中に受信した下りデータを蓄積するためのバッファの容量を削減することができる。
【産業上の利用可能性】
【０１３１】
以上のように、本発明にかかる通信システムおよびデータ転送方法は、ユーザ端末が他セルへハンドオーバする際に、通信中のユーザデータをハンドオーバ元の基地局からハンドオーバ先の基地局へ転送する通信システムに有用であり、特に、基地局としてＨｅＮＢを用いる通信システムに適している。
【符号の説明】
【０１３２】
１０  ＰＤＮ−ＧＷ
２１  Ｓｏｕｒｃｅ  Ｓ−ＧＷ
２２  Ｓｏｕｒｃｅ  ＭＭＥ
２３  Ｓｏｕｒｃｅ  ＨｅＮＢ
２４  Ｓｏｕｒｃｅ  ＨｅＮＢ−ＧＷ
２５  Ｓｏｕｒｃｅ  ＳＧＳＮ
２６  Ｓｏｕｒｃｅ  ＲＮＣ
２７  Ｓｏｕｒｃｅ  Ｎｏｄｅ  Ｂ
３１  Ｔａｒｇｅｔ  Ｓ−ＧＷ
３２  Ｔａｒｇｅｔ  ＭＭＥ
３３  Ｔａｒｇｅｔ  ＨｅＮＢ
３４  Ｔａｒｇｅｔ  ＨｅＮＢ−ＧＷ
３５  Ｔａｒｇｅｔ  ＳＧＳＮ
３６  Ｔａｒｇｅｔ  ＲＮＣ
３７  Ｔａｒｇｅｔ  Ｎｏｄｅ  Ｂ
４０  ＵＥ
【図１】
2011077683.tif 000003
【図２】
2011077683.tif 000004
【図３】
2011077683.tif 000005
【図４】
2011077683.tif 000006
【図５】
2011077683.tif 000007
【図６】
2011077683.tif 000008
【図７】
2011077683.tif 000009
【図８】
2011077683.tif 000010